(57)【要約】  送信装置は、第１の参照信号と、第１の参照信号とは異なる第２の参照信号の双方を、非協調通信を行う第１の受信装置と、協調通信を行う第２の受信装置の各々に送信する参照信号送信部を備える。また、送信装置は、第１の受信装置に対して第１の参照信号の測定を指示し、第２の受信装置に対して第２の参照信号の測定を指示する通知部を備える。
2010146781.tif 000002
【特許請求の範囲】
【請求項１】
第１の参照信号と、前記第１の参照信号とは異なる第２の参照信号の双方を、非協調通信を行う第１の受信装置と、協調通信を行う第２の受信装置の各々に送信する参照信号送信部と、
前記第１の受信装置に対して第１の参照信号の測定を指示し、前記第２の受信装置に対して前記第２の参照信号の測定を指示する通知部と、
を備える送信装置。
【請求項２】
前記第１の参照信号と前記第２の参照信号とを、異なるリソースにマッピングする第１のマッピング部を更に備える請求項１に記載の送信装置。
【請求項３】
前記第１のマッピング部は、前記第１の参照信号および前記第２の参照信号として、同じ系列を用いる請求項２に記載の送信装置。
【請求項４】
前記第１の参照信号と前記第２の参照信号とを、異なるサブフレームに配置する第２のマッピング部を更に備える請求項１に記載の送信装置。
【請求項５】
第１の参照信号と、前記第１の参照信号とは異なる第２の参照信号の双方を、非協調通信を行う第１の受信装置と、協調通信を行う第２の受信装置の各々に送信する参照信号送信部と、
前記第１の受信装置に対して第１の参照信号の位置を特定する情報を通知し、前記第２の受信装置に対して前記第２の参照信号の位置を特定する情報を通知する通知部と、
を備える送信装置。
【請求項６】
非協調通信と協調通信とを切り替えて通信を行う送信装置からの第１の参照信号の測定の指示に基づいて、第１の参照信号を測定する第１の参照信号測定部と、
前記送信装置からの第２の参照信号の測定の指示に基づいて、前記第１の参照信号とは異なる第２の参照信号を測定する第２の参照信号測定部と、
を備える受信装置。
【請求項７】
前記第１の参照信号を測定した結果を用いて、第１のフィードバック情報を作成する第１のフィードバック情報生成部と、
前記第２の参照信号を測定した結果を用いて、前記第１のフィードバック情報とは異なる第２のフィードバック情報を作成する第２のフィードバック情報生成部と、
を更に備える請求項６に記載の受信装置。
【請求項８】
送信装置と第１及び第２の受信装置とを備える通信システムであって、
前記送信装置は、
第１の参照信号と、前記第１の参照信号とは異なる第２の参照信号の双方を、非協調通信を行う前記第１の受信装置と、協調通信を行う前記第２の受信装置の各々に送信する参照信号送信部と、
前記第１の受信装置に対して前記第１の参照信号の測定を指示し、前記第２の受信装置に対して前記第２の参照信号の測定を指示する通知部とを備え、
前記第１の受信装置は、
前記第１の参照信号を測定する第１の参照信号測定部を備え、
前記第２の受信装置は、
前記第２の参照信号を測定する第２の参照信号測定部を備える通信システム。
【請求項９】
送信装置と受信装置とを備える通信システムであって、
前記送信装置は、
第１の参照信号と、前記第１の参照信号とは異なる第２の参照信号とを、非協調通信と協調通信とを切り替えて行う前記受信装置に送信する参照信号送信部と、
前記受信装置に対して前記第１の参照信号の測定あるいは前記第２の参照信号の測定を指示する通知部とを備え、
前記受信装置は、
前記送信装置からの前記第１の参照信号の測定の指示に基づいて、前記第１の参照信号を測定する第１の参照信号測定部と、
前記送信装置からの前記第２の参照信号の測定の指示に基づいて、前記第２の参照信号を測定する第２の参照信号測定部とを備える通信システム。
【請求項１０】
第１の参照信号と、前記第１の参照信号とは異なる第２の参照信号の双方を、送信装置から、非協調通信を行う第１の受信装置と、協調通信を行う第２の受信装置の各々に送信し、
前記第１の受信装置に対して前記第１の参照信号の測定を、前記送信装置が指示し、
前記第２の受信装置に対して前記第２の参照信号の測定を、前記送信装置が指示する通信方法。
【請求項１１】
非協調通信と協調通信を切り替えて行う送信装置からの第１の参照信号の測定の指示に基づいて、第１の参照信号を受信装置が測定し、
前記送信装置からの第２の参照信号の測定の指示に基づいて、前記第１の参照信号とは異なる第２の参照信号を前記受信装置が測定する通信方法。
【発明の詳細な説明】
【技術分野】
【０００１】
本発明は、送信装置、受信装置、通信システムおよび通信方法に関する。
本願は、２００９年６月１６日に、日本に出願された特願２００９−１４２８７３号に基づき優先権を主張し、その内容をここに援用する。
【背景技術】
【０００２】
３ＧＰＰ（Third Generation Partnership Project）によるＷＣＤＭＡ（Wideband Code Division Multiple Access）、ＬＴＥ（Long Term Evolution）、ＬＴＥ−Ａ（LTE-Advanced）やＷｉＭＡＸ（Worldwide Interoperability for Microwave Access）のような移動無線通信システムが知られている。これらの移動無線通信システムでは、基地局（基地局装置、送信局、送信装置、ｅＮｏｄｅＢ）あるいは基地局に準じる送信局がカバーするエリアを、セル（Cell）状に複数配置するセルラー（Cellular）構成とする。これにより、通信エリアを拡大することができる。【０００３】
また、隣接するセル間またはセクタ（Sector）間で、異なる周波数を用いることで、セル端（セルエッジ）領域またはセクタ端領域にいる端末装置（受信装置、受信局、移動局、移動端末、ＵＥ（User Equipment））でも、複数の基地局からの送信信号の干渉を受けることなく通信を行うことができる。しかし、この場合、周波数利用効率が低いという問題があった。一方、隣接するセルまたはセクタ間で同一周波数を利用することで、周波数利用効率を向上させることができる。しかし、この場合、セル端領域に位置する端末装置に対する干渉の対策が必要となる。【０００４】
この干渉の対策として、隣接セル間で互いに協調するセル間協調通信を行うことにより、セルエッジ領域の端末装置に対する干渉を、軽減または抑圧する方法が検討されている。非特許文献１では、そのような方式としてＣｏＭＰ（Cooperative Multipoint）伝送方式（協調通信方式）などが開示されている。また、ＣｏＭＰの方式として、セル間で同一または異なるデータを協調送信するジョイント・プロセッシング（Joint Processing）や、ジョイント・トランスミッション（Joint Transmission）や、セル間で協調してスケジューリングや制御を行うコーディネイティッド・スケジューリング（Coordinated Scheduling）や、ビームフォーミング（Beamforming）などが開示されている。【０００５】
基地局と端末装置との間の伝送路状況に応じて、変調方式および符号化率（ＭＣＳ（Modulation and Coding Scheme））や空間多重数（レイヤー、ランク）やプリコーディング重み（プリコーディング行列）などを適応的に制御することで、より効率的なデータ伝送を実現することができる。非特許文献２では、これらの制御を行う方法が開示されている。【０００６】
図１７は、ＬＴＥ−Ａにおいて単一セルからのＭＩＭＯ（Multiple Input Multiple Output）送信などの非協調通信（非ＣｏＭＰ）を行う基地局１７０１と端末装置１７０２を示す図である。ＬＴＥ−Ａにおいて、端末装置１７０２は、基地局１７０１から送信される参照信号（ＲＳ（Reference Signal）、パイロット信号、既知信号、伝搬路状態測定用参照信号、ＣＳＩ−ＲＳ（Channel state Information-RS））を用いてフィードバック情報を基地局１７０１に送信することが提案されている。基地局１７０１から端末装置１７０２に参照信号が送信される。【０００７】
端末装置１７０２は、参照信号に基づいて生成されるフィードバック情報を、基地局１７０１に送信する。基地局１７０１から端末装置１７０２へのデータ伝送を行う下り回線（ダウンリンク）の場合、上記の適応制御を行うために、基地局１７０１から送信された参照信号に基づいて、端末装置１７０２において下り回線の伝送路状況等を推定する。そして、端末装置１７０２から基地局１７０１へのデータ伝送を行う上り回線（アップリンク）を通して、推定した伝送路状況等を基地局１７０１に送信（フィードバック）する。非特許文献３では、参照信号を配置する際に、時間軸上ですべてのサブフレームに参照信号を配置するのではなく、一部のサブフレームのみに参照信号を配置することが提案されている。【０００８】
図１８は、基地局１７０１が送信する参照信号の例を示す図である。図１８において、横軸は時間を示しており、縦軸は周波数を示している。所定の時間と周波数帯域として規定されるリソースブロック（ＲＢ（Resource Block））１８０１内の各々の四角形の領域は、リソースエレメント（変調シンボルがマッピングされる領域、ＲＥ（Resource Element））を示す。符号１８０１−１〜１８０１−４は、ＬＴＥ−Ａの参照信号がマッピングされたリソースエレメントを示す。符号１８０１−５は、ＬＴＥの参照信号がマッピングされたリソースエレメントを示す。【０００９】
また、符号１８０１−６は、参照信号以外の信号（データ信号や制御信号など）がマッピングされたリソースエレメントを示す。参照信号の配置としては、周波数方向および時間方向のリソースエレメントに散乱（スキャッタード）させた参照信号を用いることができる。ＬＴＥ−ＡのＵＥは、このＬＴＥ−Ａの参照信号に基づいて生成し基地局にフィードバックする情報（フィードバック情報）として、チャネルの特性を示す情報（ＣＳＩ（Channel State Information））や基地局に対する推奨送信フォーマット情報（ＣＱＩ（Channel Quality Indicator）やＲＩ（Rank Indicator）やＰＭＩ（Precoding Matrix Index））などを用いることができる。【００１０】
図１９は、ＬＴＥ−ＡにおいてＣｏＭＰ通信を行う基地局１９０１と基地局１９０２と端末装置１９０３を示す図である。ＬＴＥ−Ａにおいて、端末装置１９０３は、基地局１９０１と基地局１９０２とから送信されるそれぞれの参照信号を用いてフィードバック情報を作成し、作成したフィードバック情報を基地局１９０１に送信することが提案されている。非特許文献４では、ＬＴＥ−ＡにおいてＣｏＭＰ通信を行う際に、端末装置１９０３において、参照信号を高精度に測定するために、基地局１９０１から参照信号を送信する際に基地局１９０２からのデータをパンクチャリングする（データをリソースエレメントにマッピングしない、あるいはデータ送信を停止する）ことが提案されている。
【先行技術文献】
【非特許文献】
【００１１】
【非特許文献１】3rd Generation Partnership Project; Technical Specification Group Radio Access Network; Further Advancements for E-UTRA Physical Layer Aspects (Release X)、2009年1月、3GPP TR 36.814 V0.3.2 (2009-01)
【非特許文献２】3rd Generation Partnership Project; Technical Specification Group Radio Access Network; Evolved Universal Terrestrial Radio Access (E-UTRA);Physical layer procedures (Release 8)、2008年12月、3GPP TS 36.213 V8.5.0 (2008-12)
【非特許文献３】3GPP TSG RAN WG1 #56-bis、R1-091351、"CSI-RS design for LTE-Advanced downlink"、2009年3月
【非特許文献４】3GPP TSG-RAN WG1 #56、R1-090875、"Further Considerations and Link Simulations on Reference Signals in LTE-A"、2009年2月
【発明の概要】
【発明が解決しようとする課題】
【００１２】
しかしながら、従来の通信方式では、非協調通信と協調通信とを行うことができる通信システムにおいて、効率的な参照信号の配置および適切なフィードバック情報の獲得が困難であり、伝送効率の向上を妨げる要因となっていた。【００１３】
本発明は、上記問題を鑑みてなされたものであり、その目的は、非協調通信と協調通信とを行うことができる通信システムにおいて、効率的な参照信号の配置および適切なフィードバック情報の獲得を行うことができる送信装置、受信装置、通信システムおよび通信方法を提供することにある。
【課題を解決するための手段】
【００１４】
（１）この発明は上述した課題を解決するためになされたもので、本発明の一態様による送信装置は、第１の参照信号と、前記第１の参照信号とは異なる第２の参照信号の双方を、非協調通信を行う第１の受信装置と、協調通信を行う第２の受信装置の各々に送信する参照信号送信部と、前記第１の受信装置に対して第１の参照信号の測定を指示し、前記第２の受信装置に対して前記第２の参照信号の測定を指示する通知部と、を備える。【００１５】
（２）また、本発明の一態様による送信装置は、上述の送信装置において、前記第１の参照信号と前記第２の参照信号とを、異なるリソースにマッピングする第１のマッピング部を更に備えていても良い。【００１６】
（３）また、本発明の一態様による送信装置は、上述の送信装置において、前記第１のマッピング部は、前記第１の参照信号および前記第２の参照信号として、同じ系列を用いても良い。【００１７】
（４）また、本発明の一態様による送信装置は、上述の送信装置において、前記第１の参照信号と前記第２の参照信号とを、異なるサブフレームに配置する第２のマッピング部を更に備えていても良い。【００１８】
（５）また、本発明の他の態様による送信装置は、第１の参照信号と、前記第１の参照信号とは異なる第２の参照信号の双方を、非協調通信を行う第１の受信装置と、協調通信を行う第２の受信装置の各々に送信する参照信号送信部と、前記第１の受信装置に対して第１の参照信号の位置を特定する情報を通知し、前記第２の受信装置に対して前記第２の参照信号の位置を特定する情報を通知する通知部と、を備える。【００１９】
（６）また、本発明の一態様による受信装置は、非協調通信と協調通信とを切り替えて通信を行う送信装置からの第１の参照信号の測定の指示に基づいて、第１の参照信号を測定する第１の参照信号測定部と、前記送信装置からの第２の参照信号の測定の指示に基づいて、前記第１の参照信号とは異なる第２の参照信号を測定する第２の参照信号測定部と、を備える。【００２０】
（７）また、本発明の一態様による受信装置は、上述の受信装置において、前記第１の参照信号を測定した結果を用いて、第１のフィードバック情報を作成する第１のフィードバック情報生成部と、前記第２の参照信号を測定した結果を用いて、前記第１のフィードバック情報とは異なる第２のフィードバック情報を作成する第２のフィードバック情報生成部と、を更に備えていても良い。【００２１】
（８）また、本発明の一態様による通信システムは、送信装置と第１及び第２の受信装置とを備える通信システムであって、前記送信装置は、第１の参照信号と、前記第１の参照信号とは異なる第２の参照信号の双方を、非協調通信を行う前記第１の受信装置と、協調通信を行う前記第２の受信装置の各々に送信する参照信号送信部と、前記第１の受信装置に対して前記第１の参照信号の測定を指示し、前記第２の受信装置に対して前記第２の参照信号の測定を指示する通知部とを備え、前記第１の受信装置は、前記第１の参照信号を測定する第１の参照信号測定部を備え、前記第２の受信装置は、前記第２の参照信号を測定する第２の参照信号測定部を備える。【００２２】
（９）また、本発明の他の態様による通信システムは、送信装置と受信装置とを備える通信システムであって、前記送信装置は、第１の参照信号と、前記第１の参照信号とは異なる第２の参照信号とを、非協調通信と協調通信とを切り替えて行う前記受信装置に送信する参照信号送信部と、前記受信装置に対して前記第１の参照信号の測定あるいは前記第２の参照信号の測定を指示する通知部とを備え、前記受信装置は、前記送信装置からの前記第１の参照信号の測定の指示に基づいて、前記第１の参照信号を測定する第１の参照信号測定部と、前記送信装置からの前記第２の参照信号の測定の指示に基づいて、前記第２の参照信号を測定する第２の参照信号測定部とを備える。【００２３】
（１０）また、本発明の一態様による通信方法は、第１の参照信号と、前記第１の参照信号とは異なる第２の参照信号の双方を、送信装置から、非協調通信を行う第１の受信装置と、協調通信を行う第２の受信装置の各々に送信し、前記第１の受信装置に対して前記第１の参照信号の測定を、前記送信装置が指示し、前記第２の受信装置に対して前記第２の参照信号の測定を、前記送信装置が指示する。【００２４】
（１１）また、本発明の他の態様による通信方法は、非協調通信と協調通信を切り替えて行う送信装置からの第１の参照信号の測定の指示に基づいて、第１の参照信号を受信装置が測定し、前記送信装置からの第２の参照信号の測定の指示に基づいて、前記第１の参照信号とは異なる第２の参照信号を前記受信装置が測定する。
【発明の効果】
【００２５】
この発明によれば、非協調通信と協調通信とを行うことができる通信システムにおいて、効率的な参照信号の配置および適切なフィードバック情報の獲得を行うことができる。
【図面の簡単な説明】
【００２６】
【図１】本発明の第１の実施形態における通信システムの構成を示す概略構成図である。
【図２】同実施形態における通信システムの構成を示す概略構成図である。
【図３Ａ】同実施形態における参照信号の構成例を示す図である。
【図３Ｂ】同実施形態における参照信号の他の構成例を示す図である。
【図３Ｃ】同実施形態における参照信号の更に他の構成例を示す図である。
【図４Ａ】同実施形態における参照信号の構成例を示す図である。
【図４Ｂ】同実施形態における参照信号の他の構成例を示す図である。
【図４Ｃ】同実施形態における参照信号の更に他の構成例を示す図である。
【図５】同実施形態における無線フレーム構成の一例を示した図である。
【図６】同実施形態における基地局（送信装置）と端末装置（受信装置）との間の処理の一例を示すシーケンス図である。
【図７】同実施形態における基地局（送信装置）の構成の一例を示す概略ブロック図である。
【図８】同実施形態における端末装置（受信装置）の構成の一例を示す概略ブロック図である。
【図９Ａ】本発明の第２の実施形態における参照信号の構成例を示す図である。
【図９Ｂ】本発明の第２の実施形態における参照信号の他の構成例を示す図である。
【図９Ｃ】本発明の第２の実施形態における参照信号の更に他の構成例を示す図である。
【図１０】同実施形態における無線フレーム構成の一例を示した図である。
【図１１】本発明の第３の実施形態における基地局（送信装置）と端末装置（受信装置）との間の処理の一例を示すシーケンス図である。
【図１２】本発明の第４の実施形態における基地局（送信装置）と端末装置（受信装置）との間の処理の一例を示すシーケンス図である。
【図１３】本発明の第５の実施形態における基地局（送信装置）と端末装置（受信装置）との間の処理の一例を示すシーケンス図である。
【図１４】本発明の第６の実施形態における基地局（送信装置）と端末装置（受信装置）との間の処理の一例を示すシーケンス図である。
【図１５Ａ】本発明の第７の実施形態における参照信号の構成例を示す図である。
【図１５Ｂ】本発明の第７の実施形態における参照信号の他の構成例を示す図である。
【図１６】同実施形態における無線フレーム構成の一例を示した図である。
【図１７】ＭＩＭＯ通信を行う通信システムの構成を示す構成図である。
【図１８】ＭＩＭＯ通信を行う通信システムにおける参照信号の構成を示す図である。
【図１９】ＣｏＭＰ通信を行う通信システムの構成を示す構成図である。
【発明を実施するための形態】
【００２７】
（第１の実施形態）
以下、図面を参照して、本発明の第１の実施形態について説明する。
【００２８】
図１は、本発明の第１の実施形態における通信システムの構成を示す概略構成図である。図１の通信システムは、それぞれセルを構成する基地局（送信装置、基地局装置、ｅＮｏｄｅＢ、ｅＮＢ、セル、上りリンク受信装置）１０１及び１０２と、端末装置（受信装置、ＵＥ、上りリンク送信装置）１０３及び１０４とを含んでいる。基地局１０１と端末装置１０３は、非ＣｏＭＰであるＭＩＭＯ通信（あるいはＳＩＳＯ（Single Input Single Output）通信や送信ダイバーシチ（TxD）通信）を行う。
【００２９】
また、基地局１０１と基地局１０２は、ＣｏＭＰ通信（協調通信）により端末装置１０４と通信を行う。すなわち、少なくとも、基地局１０１は、ＭＩＭＯ通信とＣｏＭＰ通信の両方を行う。言い換えれば、基地局１０１は、ＭＩＭＯ通信を行う端末装置（第１の受信装置）１０３と、ＣｏＭＰ通信を行う端末装置（第２の受信装置）１０４の両方を収容する。なお、ここでは、基地局１０１は、端末装置１０３と端末装置１０４を同じ時刻に収容している場合について説明するが、これに限るものではない。基地局１０１は、端末装置１０３と端末装置１０４を異なる時刻に収容してもよい。基地局２０１は、端末装置１０４に対して、基地局１０１と協調する可能性がある基地局である。
【００３０】
ＭＩＭＯ通信を行う端末装置１０３は、基地局１０１から送信された参照信号を測定してフィードバック情報を生成し、生成したフィードバック情報を基地局１０１に報告する。また、ＣｏＭＰ通信を行う端末装置１０４は、基地局１０１から送信された参照信号と、基地局１０２から送信された参照信号とを測定してフィードバック情報を生成し、生成したフィードバック情報を基地局１０１または／および基地局１０２に報告する。
【００３１】
図２は、図１に示した端末装置１０４がＣｏＭＰを行う以前の様子を示した図である。端末装置１０４は、基地局１０１に収容されている。端末装置１０４に対して、基地局１０１と協調する可能性がある基地局は、基地局１０２と基地局２０１である。基地局１０１は、端末装置１０４に対して、基地局１０２から送信された参照信号と、基地局２０１から送信された参照信号とを測定するように指示する。端末装置１０４は、測定した結果の全部あるいは一部を基地局１０１に報告する。基地局１０１は、報告された情報を基に、ＣｏＭＰ通信を行う基地局を決定する。基地局１０２が選ばれた場合は、図１に示すようなＣｏＭＰに移行する。
【００３２】
図３Ａ〜図３Ｃは、ＣｏＭＰを行わない端末装置が参照する参照信号（伝搬路状態測定用参照信号）の構成例を示す図である。図３Ａに示すリソースブロック３０１は、セル＃１をカバーする基地局１０１から送信され、参照信号を含む。図３Ｂに示すリソースブロック３０２は、セル＃２をカバーする基地局１０２から送信され、参照信号を含む。図３Ｃに示すリソースブロック３０３は、セル＃３をカバーする基地局１０３から送信され、参照信号を含む。
【００３３】
なお、ここでは時間方向に１４個、周波数方向に１２個のリソースエレメントの組をリソースブロックと呼ぶが、これに限るものではない。例えば、時間方向に１４個、周波数方向に１２個のリソースエレメントの組をリソースブロックと呼び、上記のリソースブロックをリソースブロックの組と呼んでもよい。リソースブロック３０１内のリソースエレメント３０１−１〜３０１−４は、ＬＴＥ−Ａの参照信号がマッピングされたリソースエレメントを示す。それ以外のリソースエレメント３０１−５は、ＬＴＥ−Ａの参照信号以外の信号（データ信号、制御信号、ＬＴＥの参照信号、復調用参照信号など）がマッピングされたリソースエレメントを示す。
【００３４】
リソースエレメント３０１−１〜３０１−４は、それぞれ異なるポート（論理ポート、アンテナポート）であるポート１〜ポート４に対応した参照信号がマッピングされるリソースエレメントを示している。リソースブロック３０２内のリソースエレメント３０２−１〜３０２−５、およびリソースブロック３０３内のリソースエレメント３０３−１〜３０３−５も同様である。ただし、ここでは、４つのポートに関する参照信号が、１つのリソースブロックに配置される場合について説明するが、任意のポート数（例えば、１、２、４、８ポート）の参照信号を配置するようにしてもよい。
【００３５】
図２における端末装置１０３が行う受信品質の測定方法の一例について説明する。セル＃１をカバーする基地局１０１に収容されている端末装置１０３は、基地局１０１から送信された参照信号がマッピングされたリソースエレメント３０１−１〜３０１−４における受信信号をポート毎に合成する。これにより、端末装置１０３は、基地局１０１からの受信信号のレプリカを生成する。次に、端末装置１０３は、リソースエレメント３０１−１〜３０１−４における受信信号から、レプリカを減算して平均化する。これにより、端末装置１０３は、基地局１０１以外の基地局から送信された信号（干渉信号）および雑音の電力を算出する。
【００３６】
ここで、セル＃２やセル＃３は、リソースエレメント３０１−１〜３０１−４と同じ時間および同じ周波数リソースで信号を送信している（パンクチャリングを行っていない）。そのため、干渉信号には、セル＃２における信号（図３Ｂの場合は３０２−５の一部にマッピングされた信号）や、セル＃３における信号（図３Ｃの場合は３０３−５の一部にマッピングされた信号）が含まれる。端末装置１０３は、レプリカの電力を、干渉信号および雑音の電力で除算することにより、信号対干渉および雑音電力比（ＳＩＮＲ（Signal to Interference and Noise Ratio））を算出する。端末装置１０３は、算出したＳＩＮＲにおいて所定の品質を満たすようにＣＱＩ（Channel Quality Indicator）やＲＩ（Rank Indicator）を選択する。また、端末装置１０３は、算出したＳＩＮＲが大きくなるようにＰＭＩ（Precoding Matrix Index）を選択する。このように、端末装置１０３は、端末装置１０３を収容するセルであるセル＃１におけるリソースエレメント３０１−１〜３０１−４を測定することで、干渉信号や雑音を考慮したフィードバック情報を生成することができる。
【００３７】
図４Ａ〜図４Ｃは、ＣｏＭＰを行う端末装置が参照する参照信号の構成例を示す図である。図４Ａに示すリソースブロック４０１は、セル＃１をカバーする基地局１０１から送信され、参照信号を含む。図４Ｂに示すリソースブロック４０２は、セル＃２をカバーする基地局１０２から送信され、参照信号を含む。図４Ｃに示すリソースブロック４０３は、セル＃３をカバーする基地局２０１から送信され、参照信号を含む。
【００３８】
リソースブロック４０１内のリソースエレメント４０１−１〜４０１−４は、ＬＴＥ−Ａの参照信号がマッピングされたリソースエレメントを示す。リソースエレメント４０１−６は、信号をパンクチャリングしている（信号をマッピングしない、あるいは送信しない）ことを示す。また、それ以外のリソースエレメント４０１−５は、ＬＴＥ−Ａの参照信号以外の信号（データ信号、制御信号、ＬＴＥの参照信号、復調用参照信号など）がマッピングされたリソースエレメントを示す。リソースエレメント４０１−１〜４０１−４は、それぞれ異なるポート（論理ポート、アンテナポート）であるポート１〜ポート４に対応した参照信号がマッピングされるリソースエレメントを示している。
【００３９】
なお、ここでは、上述のＭＩＭＯ用のポートと同じポートを、ＣｏＭＰにおいても使用する場合について説明するが、これに限るものではない。例えば、リソースエレメント４０１−１〜４０１−４は、それぞれポート１１〜ポート１４に対応するなど、ポート１〜ポート４と別のポートとしてもよい。リソースブロック３０２内のリソースエレメント３０２−１〜３０２−５、およびリソースブロック３０３内のリソースエレメント３０３−１〜３０３−５も同様である。ただし、ここでは、ＭＩＭＯ通信と同様、４つのポートに関する参照信号を１つのリソースブロックに配置する場合について説明するが、異なるポート数の参照信号を配置するようにしてもよい。
【００４０】
次に、端末装置１０４が行う受信品質の測定方法の一例について説明する。セル＃１をカバーする基地局１０１およびセル＃２をカバーする基地局１０２とＣｏＭＰを行っている端末装置１０４は、基地局１０１から送信された参照信号がマッピングされたリソースエレメント４０１−１〜４０１−４における受信信号をポート毎に合成する。これにより、端末装置１０４は、基地局１０１からの受信信号のレプリカを生成する。また、端末装置１０４は、基地局１０２から送信された参照信号がマッピングされたリソースエレメント４０２−１〜４０２−４における受信信号をポート毎に合成する。これにより、端末装置１０４は、基地局１０２からの受信信号のレプリカを生成する。
【００４１】
ここで、セル＃２やセル＃３は、リソースエレメント４０１−１〜４０１−４と同じ時間および同じ周波数リソースで信号をパンクチャリングしている。そのため、基地局１０１からの受信信号のレプリカは、セル＃２における信号やセル＃３における信号が干渉とならず、精度よく測定することができる。また、基地局１０２からの受信信号のレプリカを生成する際にも同様の効果を得ることができる。得られた基地局１０１からの受信信号のレプリカおよび基地局１０２からの受信信号のレプリカからフィードバック情報（ＣＳＩ（Channel State Information）、チャネル行列を示す情報あるいはチャネル行列を加工した情報、またはＣＱＩ／ＰＭＩ／ＲＩ）を生成する。このように、端末装置１０４は、端末装置１０４とＣｏＭＰを行うセルであるセル＃１とセル＃２におけるリソースエレメント４０１−１〜４０１−４およびリソースエレメント４０２−１〜４０２−４を測定する。これにより、端末装置１０４は、精度の良い（干渉の影響が小さい）フィードバック情報を生成することができる。
【００４２】
図５は、基地局１０１、基地局１０２および基地局２０１から送信される無線フレーム構成の一例を示した図である。図５において、横軸は時間を示している。図５の信号１として示される無線フレーム５０１は、セル＃１をカバーする基地局１０１から送信される無線フレームである。図５の信号２として示される無線フレーム５０２は、セル＃２をカバーする基地局１０２から送信される無線フレームである。図５の信号１として示される無線フレーム５０３は、セル＃３をカバーする基地局２０１から送信される無線フレームである。それぞれの無線フレーム５０１〜５０３は、１０個のサブフレームＳＦ＃０〜ＳＦ＃９を含む。なお、ここではセル間で無線フレームが同期している場合について示している。
【００４３】
サブフレーム５０１−２、５０２−２および５０３−２は、それぞれセル＃１、セル＃２およびセル＃３におけるＭＩＭＯ通信用参照信号を配置するサブフレームである。サブフレーム５０１−３、５０２−３および５０３−３は、それぞれセル＃１、セル＃２およびセル＃３におけるＣｏＭＰ用参照信号を配置するサブフレームである。また、それ以外のサブフレーム５０１−１、５０２−１および５０３−１は、通常のサブフレームである。
【００４４】
ここでは、サブフレーム５０１−２、５０２−２および５０３−２を同じ時刻に配置し、サブフレーム５０１−３、５０２−３および５０３−３を同じ時刻に配置する。また、ＭＩＭＯ通信用参照信号を配置するサブフレームと、ＣｏＭＰ通信用参照信号を配置するサブフレームとを異なるようにする。
【００４５】
ＣｏＭＰが可能なセル間で、ＣｏＭＰ用参照信号を配置するサブフレームを同期させる（同じ時刻に配置する）。これにより、通常サブフレームの割合を大きくすることができ、効率的な参照信号の配置を実現することができる。
【００４６】
ＭＩＭＯ通信用参照信号を配置するサブフレームと、ＣｏＭＰ通信用参照信号を配置するサブフレームとを異なるようにする。これにより、ＭＩＭＯ通信を行う端末装置において、干渉信号や雑音を考慮したフィードバック情報を生成することができる。また、ＣｏＭＰ通信を行う端末装置において、精度の良い（干渉の影響が小さい）フィードバック情報を生成することができる。
【００４７】
また、図５に示すように、ＣｏＭＰを行う可能性があるセルの組の中で、ＣｏＭＰ用参照信号を配置するサブフレーム番号を同じになるように設定する。これにより、他セルにおけるＣｏＭＰ用参照信号の位置を示す情報としてサブフレーム番号を新たに通知する必要が無くなるため、シグナリングの効率を向上させることができる。
【００４８】
図６は、本実施形態に係る基地局１０１（送信装置、収容基地局、Serving Cell）と端末装置１０４との間の処理の一例を示すシーケンス図である。
【００４９】
まず、基地局１０１と端末装置１０４は、初期モード（ＴｘＤモードなど）、あるいはＭＩＭＯモードではない送信モードで通信している（ステップＳ６０１）。
【００５０】
ＭＩＭＯモードへ移行する場合、基地局１０１は端末装置１０４に、ＭＩＭＯ用のフィードバックを指示するとともに、ＭＩＭＯ用の参照信号の位置を通知する（ステップＳ６０２）。例えば、基地局１０１は、物理制御チャネル（ＰＤＣＣＨ（Physical Downlink Control Channel））を用いたシグナリングや、上位層のシグナリング（ＲＲＣシグナリング）を行う。ここで、ＭＩＭＯ用のフィードバックの指示は、インプリシット／エクスプリシットにかかわらず、フィードバック方法を指定してもよいし、ＭＩＭＯモード自体を指定してもよいし、ＭＩＭＯモード自体とフィードバック方法の両方を指定してもよい。
【００５１】
また、ＭＩＭＯ用の参照信号の位置を通知することがＭＩＭＯ用のフィードバックのトリガーであると設定しておくことにより、ＭＩＭＯ用の参照信号の位置の通知自体がＭＩＭＯ用のフィードバックの指示となり得る。また、ＭＩＭＯ用の参照信号の位置として、ＭＩＭＯ用の参照信号を配置したサブフレームの番号を通知してもよいし、所定のインデクスを通知し、端末装置側でインデクスとその他のパラメータ（例えばセル固有物理番号、セルＩＤなど）から配置したサブフレームの番号を得られるようにしてもよい。さらに、サブフレーム番号だけではなく、リソースエレメントの位置に関する情報（ＯＦＤＭシンボル番号、リソースブロック番号、サブキャリア番号、周波数オフセット値、あるいはこれらの組み合わせをルックアップテーブルを用いて指定するインデクス）を通知することもできる。
【００５２】
端末装置１０４は、ＭＩＭＯ用の参照信号の品質を測定する（ステップＳ６０３）。そして、端末装置１０４は、ステップＳ６０３の測定結果に基づいて、ＭＩＭＯ用のフィードバック情報を生成する（ステップＳ６０４）。そして、端末装置１０４は、ステップＳ６０４で生成したＭＩＭＯ用のフィードバック情報を、基地局１０１に報告する（ステップＳ６０５）。基地局１０１は、フィードバック情報を参照してＭＩＭＯ送信のパラメータを決定し、端末装置１０４に対してＭＩＭＯ送信を行う（ステップＳ６０６）。ＭＩＭＯ通信を行う期間中は、ステップＳ６０３〜ステップＳ６０６の処理が繰返し行われる。
【００５３】
ＭＩＭＯモードからＣｏＭＰモードへ移行する場合、基地局１０１は、端末装置１０４に、ＣｏＭＰ用のフィードバックを指示する。また、基地局１０１は、ＣｏＭＰ用の参照信号の位置を、端末装置１０４に通知する（ステップＳ６０７）。例えば、基地局１０１は、物理制御チャネル（ＰＤＣＣＨ）を用いたシグナリングや上位層のシグナリング（ＲＲＣシグナリング）を行う。ここで、ＣｏＭＰ用のフィードバックの指示は、インプリシット／エクスプリシットにかかわらず、フィードバック方法を指定してもよいし、ＣｏＭＰモード自体を指定してもよい。また、ＣｏＭＰ用の参照信号の位置を通知することがＣｏＭＰ用のフィードバックのトリガーであると設定しておくことにより、ＣｏＭＰ用の参照信号の位置の通知自体が、ＣｏＭＰ用のフィードバックの指示となり得る。
【００５４】
また、ＣｏＭＰ用の参照信号の位置として、自セルおよびＣｏＭＰを行う可能性のある他セルにおいてＣｏＭＰ用の参照信号を配置したサブフレームの番号を通知してもよいし、所定のインデクスを通知し、端末装置１０４側でインデクスとその他のパラメータ（例えばセル固有物理番号、セルＩＤなど）から配置したサブフレームの番号を得られるようにしてもよい。また、他セルにおけるＣｏＭＰ用の参照信号の位置としては、他セルにおけるＣｏＭＰ用の参照信号を配置したサブフレームに対応する自セルのサブフレームを特定する情報（サブフレーム番号など）であってもよい。これにより、端末装置１０４は、自セルのサブフレーム番号を把握しておくだけでよく、端末装置１０４の処理量を軽減することができる。例えば、他セルにおいてＣｏＭＰ用の参照信号を配置したサブフレームを端末装置１０４に知らせるための情報として、対応する自セルのサブフレーム番号を通知してもよいし、自セルと他セルとのサブフレーム番号の相対的なオフセット値や他セルにおけるサブフレーム番号を通知してもよい。
【００５５】
さらに、サブフレーム番号だけではなく、リソースエレメントの位置に関する情報（ＯＦＤＭシンボル番号、リソースブロック番号、サブキャリア番号、周波数オフセット値（参照信号がセルＩＤに基づいて周波数オフセットされている場合は、他セルのセルＩＤを通知することが、インプリシットに参照信号の位置を通知することになる）、あるいはこれらの組み合わせをルックアップテーブルを用いて指定するインデクス）を通知することもできる。これにより、自由度の高い参照信号配置が可能となり、結果として、通信の効率を向上することができる。
【００５６】
あるいは、ＣｏＭＰ用参照信号およびＭＩＭＯ用参照信号を配置するサブフレームの番号を予め全セルで共通にしておき、ＣｏＭＰモードに移行する際に、自セルと他セルとのサブフレーム番号の相対的なオフセット値を通知する方法をとることもできる。これにより、他セルに関するシグナリングを効率化することができる。
【００５７】
なお、ＣｏＭＰ用のフィードバックの指示と、ＣｏＭＰ用の参照信号の位置を指定する他セルとは、関連するとは限らない。例えば、ＣｏＭＰ用の参照信号の位置を指定するセル（自セルおよび他セル）は、参照信号を測定するセルの集合であって、フィードバック情報を作成するセルの集合は、参照信号を測定するセルの集合の部分集合であってもよい。
【００５８】
端末装置１０４は、自セルおよび／または他セルのＣｏＭＰ用の参照信号の品質を測定する（ステップＳ６０８）。端末装置１０４は、ステップＳ６０８の測定結果に基づいて、ＣｏＭＰ用のフィードバック情報を生成する（ステップＳ６０９）。端末装置１０４は、ステップＳ６０９で生成したＣｏＭＰ用のフィードバック情報を基地局１０１に報告する（ステップＳ６１０）。基地局１０１は、フィードバック情報を参照してＣｏＭＰ送信のパラメータを決定し、端末装置１０４に対して、他の基地局と協調してＣｏＭＰ送信を行う（ステップＳ６１１）。ＣｏＭＰ通信を行う期間中は、ステップＳ６０８〜ステップＳ６１１の処理が繰返し行われる。また、必要に応じて、ＣｏＭＰ用の参照信号の位置（ＣｏＭＰを行う可能性のある他セルにおけるＣｏＭＰ用の参照信号の位置）を、基地局１０１から端末装置１０４に、通知するようにしてもよい。
【００５９】
送信モードを切り替える際に、フィードバック方法の指示や参照信号の位置の通知を行うことで、フィードバックに関連するシグナリングを効率化することができる。また、フィードバック方法の指示を、参照信号の位置の通知に関連付けることで、シグナリングにおけるオーバヘッドを低減することができる。
【００６０】
図７は、本実施形態に係る基地局（送信装置）１０１の構成の一例を示す概略ブロック図である。なお、基地局１０２、基地局２０１の構成は、基地局１０１と同様であるため、それらの説明を省略する。
基地局１０１は、符号部７０１−１、７０１−２、スクランブル部７０２−１、７０２−２、変調部７０３−１、７０３−２、レイヤーマッピング部７０４、プレコーディング部７０５、参照信号生成部７０６、リソースエレメントマッピング部７０７−１、７０７−２、ＯＦＤＭ信号生成部７０８−１、７０８−２、送信アンテナ７０９−１、７０９−２、受信アンテナ７１０、受信信号処理部７１１、フィードバック情報処理部７１２、上位層７１３を備えている。
【００６１】
上位層７１３は、コードワード毎のコードワード数分の送信データ（ビット系列）のそれぞれを、符号部７０１−１、７０１−２に出力する。符号部７０１−１、７０１−２は、フィードバック情報処理部７１２が出力する符号化率に基づいて、上位層７１３が出力する信号に対して、誤り訂正符号化およびレートマッピング処理を行い、スクランブル部７０２−１、７０２−２に出力する。スクランブル部７０２−１、７０２−２は、符号部７０１−１、７０１−２が出力する信号に対して、スクランブリング符号を乗算し、変調部７０３−１、７０３−２に出力する。変調部７０３−１、７０３−２は、フィードバック情報処理部７１２が出力する変調方式に基づいて、スクランブル部７０２−１、７０２−２が出力する信号に対して、ＰＳＫ（Phase Shift Keying）変調やＱＡＭ（Quadrature Amplitude Modulation）変調などの変調処理が行われ、レイヤーマッピング部７０４に出力する。
【００６２】
レイヤーマッピング部７０４は、フィードバック情報処理部７１２が出力するマッピング方法に基づいて、変調部７０３−１、７０３−２から出力された変調シンボル系列を、レイヤー毎に分配し、レイヤー数分の信号を、プレコーディング部７０５に出力する。プレコーディング部７０５は、フィードバック情報処理部７１２が出力するプレコーディング行列に基づいて、レイヤーマッピング部７０４が出力するレイヤー毎の変調シンボル系列に対して、プレコーディング処理を行い、リソースエレメントマッピング部７０７−１、７０７−２に出力する。より具体的には、プレコーディング部７０５は、レイヤーマッピング部７０４が出力するレイヤー毎の変調シンボル系列に対して、プレコーディング行列を乗算する。
【００６３】
参照信号生成部７０６は、ＭＩＭＯ用参照信号およびＣｏＭＰ用の参照信号を生成し、リソースエレメントマッピング部７０７−１、７０７−２に出力する。ここで、参照信号生成部７０６は、ＭＩＭＯ用の参照信号とＣｏＭＰ用の参照信号の生成に用いる系列を同じにすることで、参照信号の生成に要する回路規模あるいは処理量を軽減することができる。例えば、参照信号生成部７０６は、セルＩＤに従って生成された系列を、ＭＩＭＯ用の参照信号とＣｏＭＰ用の参照信号の両方に用いることができる。あるいは、参照信号生成部７０６は、ＭＩＭＯ用の参照信号とＣｏＭＰ用の参照信号の生成に用いる系列を異なるように生成してもよい。ＭＩＭＯ用の参照信号とＣｏＭＰ用の参照信号の生成に用いる系列を異なるように生成することで、異なるセル間のＭＩＭＯ用の参照信号とＣｏＭＰ用の参照信号とが同じリソースで送信されるような場合においても、干渉を低減することができる。
【００６４】
リソースエレメントマッピング部７０７−１、７０７−２は、フィードバック情報処理部７１２が出力する変調シンボルのマッピング方法に基づいて、プレコーディング部７０５においてプレコーディングされた変調シンボル系列と、参照信号生成部７０６で生成された参照信号とを、所定のリソースエレメントにマッピングし、送信アンテナ数分の信号を、ＯＦＤＭ信号生成部７０８−１、７０８−２に出力する。ここで、ＣｏＭＰを行う各セルにおいてＣｏＭＰ用の参照信号をマッピングするリソースエレメントの位置を、予めセル間（基地局間）で共有しておく。リソースエレメントマッピング部７０７−１、７０７−２は、ＣｏＭＰを行うセルにおいてＣｏＭＰ用の参照信号をマッピングするリソースエレメントに対応する自セルのリソースエレメントに対し、変調シンボルをマッピングしないようにする。
【００６５】
ＯＦＤＭ信号生成部７０８−１、７０８−２は、リソースエレメントマッピング部７０７−１、７０７−２から出力されたリソースブロック群を、ＯＦＤＭ信号に変換し、送信アンテナ７０９−１、７０９−２に出力する。送信アンテナ７０９−１、７０９−２は、ＯＦＤＭ信号生成部７０８−１、７０８−２が出力する信号を、下りリンク送信信号として送信アンテナ７０９−１、７０９−２から、端末装置１０４などに送信する。
【００６６】
一方、受信アンテナ７１０は、端末装置１０４などから、上りリンク受信信号を受信し、受信信号処理部７１１に出力する。受信信号処理部７１１は、受信アンテナ７１０が出力する信号に対して、所定の信号処理を行った後、フィードバック情報として、フィードバック情報処理部７１２に出力する。フィードバック情報処理部７１２は、ＭＩＭＯ通信を行っている端末装置から報告されたフィードバック情報を用いて、符号部７０１−１、７０１−２における符号化率、変調部７０３−１、７０３−２における変調方式、レイヤーマッピング部７０４におけるマッピング方法、プレコーディング部７０５におけるプレコーディング行列、リソースエレメントマッピング部７０７−１、７０７−２における変調シンボルのマッピング方法などを変更し、各部に出力する。
【００６７】
また、フィードバック情報処理部７１２は、ＣｏＭＰ通信を行っている端末装置から報告されたフィードバック情報に対しては、これを用いて符号部７０１−１、７０１−２における符号化率、変調部７０３−１、７０３−２における変調方式、レイヤーマッピング部７０４におけるマッピング方法、プレコーディング部７０５におけるプレコーディング行列、リソースエレメントマッピング部における変調シンボルのマッピング方法などを変更するだけでなく、ＣｏＭＰを行うためにセル間で共有する情報（スケジューリング情報やプレコーディング情報など）もフィードバック情報に基づいて生成し、各部に出力する。
【００６８】
図８は、本実施形態に係る端末装置（受信装置）１０４の構成の一例を示す概略ブロック図である。なお、端末装置１０３の構成は、端末装置１０４の構成と同様であるため、その説明を省略する。
端末装置１０４は、受信アンテナ８０１−１、８０１−２、ＯＦＤＭ信号復調部８０２−１、８０２−２、リソースエレメントデマッピング部８０３−１、８０３−２、フィルタ部８０４、デプリコーディング部８０５、レイヤーデマッピング部８０６、復調部８０７−１、８０７−２、デスクランブル部８０８−１、８０８−２、復号部８０９−１、８０９−２、上位層８１０、参照信号測定部８１１、フィードバック情報生成部８１２、送信信号生成部８１３、送信アンテナ８１４を備えている。
【００６９】
受信アンテナ８０１−１、８０１−２は、基地局１０１などが送信する下りリンク受信信号を受信し、受信アンテナ数分の信号を、ＯＦＤＭ信号復調部８０２−１、８０２−２に出力する。ＯＦＤＭ信号復調部８０２−１、８０２−２は、受信アンテナ８０１−１、８０１−２が出力する信号に対して、ＯＦＤＭ復調処理を行い、リソースブロック群の信号を、リソースエレメントデマッピング部８０３−１、８０３−２に出力する。
【００７０】
リソースエレメントデマッピング部８０３−１、８０３−２は、図６のステップＳ６０２やステップＳ６０７において基地局から通知された位置のリソースエレメントから、参照信号を取得して参照信号測定部８１１に出力する。また、リソースエレメントデマッピング部８０３−１、８０３−２は、参照信号がマッピングされていたリソースエレメント以外のリソースエレメントにおける受信信号を、フィルタ部８０４に出力する。ここで、端末装置１０４がＣｏＭＰを行う場合、端末装置１０４は、図６のステップＳ６０７において、基地局１０１から協調する他セルにおけるＣｏＭＰ用の参照信号をマッピングするリソースエレメントの位置を通知されている。
【００７１】
このリソースエレメントに対応する自セルのリソースエレメントでは、リソースエレメントマッピング部７０７−１、７０７−２において変調シンボルがパンクチャリングされている。そのため、リソースエレメントデマッピング部８０３−１、８０３−２は、受信信号を破棄および／またはデパンクチャリングした後、フィルタ部８０４に出力してもよい。これにより、干渉および雑音を低減することができ、受信データの品質を向上することができる。
【００７２】
フィルタ部８０４は、リソースエレメントデマッピング部８０３−１、８０３−２から出力された受信信号に対して、フィルタリング処理を行い、デプリコーディング部８０５に出力する。デプリコーディング部８０５は、フィルタ部８０４でフィルタリングされた信号に対して、プリコーディング部７０５におけるプリコーディングに対応するデプリコーディング処理を行い、レイヤー数分のレイヤー毎の信号を、レイヤーデマッピング部８０６に出力する。レイヤーデマッピング部８０６は、デプリコーディング部８０５が出力する信号に対して、レイヤーマッピング部７０４に対応する結合処理を行い、レイヤー毎の信号をコードワード毎の信号に変換し、復調部８０７−１、８０７−２に出力する。
【００７３】
復調部８０７−１、８０７−２は、レイヤーデマッピング部８０６が変換したコードワード毎の信号に対して、変調部７０３−１、７０３−２における変調処理に対応した復調処理を行い、デスクランブル部８０８−１、８０８−２に出力する。デスクランブル部８０８−１、８０８−２は、復調部８０７−１、８０７−２が出力する信号に対して、スクランブル部７０２−１、７０２−２で用いたスクランブリング符号の共役符号を乗算（スクランブリング符号で除算）し、復号部８０９−１、８０９−２に出力する。復号部８０９−１、８０９−２は、デスクランブル部８０８−１、８０８−２が出力する信号に対して、レートデマッピング処理および誤り訂正復号処理を行い、コードワード毎の受信データを取得し、コードワード数分の信号を上位層８１０に出力する。
【００７４】
ここで、フィルタ部８０４が行うフィルタリング処理では、受信アンテナ８０１−１、８０１−２毎の受信信号に対して、ＺＦ（Zero Forcing）やＭＭＳＥ（Minimum Mean Square Error）やＭＬＤ（Maximum Likelihood Detection）などの方法を用いて、図７における送信アンテナ７０９−１、７０９−２毎の送信信号を検出する。なお、データと同様にプリコーディングされた既知信号を参照して、レイヤー毎の送信信号を検出する際は、フィルタ部８０４での処理とデプリコーデイング部８０５の処理を同時に行うことができる。
【００７５】
参照信号測定部８１１は、リソースエレメントデマッピング部８０３−１、８０３−２が取得した参照信号を測定し、その測定結果を、フィードバック情報生成部８１２に出力する。フィードバック情報生成部８１２は、端末装置１０４がＭＩＭＯ通信を行っている場合は、前述のＭＩＭＯ用のフィードバック情報を生成し、送信信号生成部８１３に出力する。一方、フィードバック情報生成部８１２は、端末装置１０４がＣｏＭＰ通信を行っている場合は、前述のＣｏＭＰ用のフィードバック情報を生成し、送信信号生成部８１３に出力する。
【００７６】
送信信号生成部８１３は、フィードバック情報生成部８１２において生成されたフィードバック情報を送信信号に変換し、送信アンテナ８１４に出力する。送信アンテナ８１４は、送信信号生成部８１３が出力した信号を、上りリンク送信信号として、基地局１０１などに送信する。
【００７７】
このように、基地局は、ＣｏＭＰを行わない端末装置が参照する第１の参照信号ではパンクチャリングを行わない。一方、基地局は、ＣｏＭＰを行う端末装置が参照する第２の参照信号ではパンクチャリングを行い、第１の参照信号と第２の参照信号を異なるサブフレームに配置する。これにより、端末装置は、高精度のフィードバック情報を生成することができる。また、ＭＩＭＯモードへの移行時に、基地局は端末装置に対して、第１の参照信号の位置を通知する。また、ＣｏＭＰモードへの移行時に、基地局は端末装置に対して、第２の参照信号の位置を通知する。これにより、フィードバックのための効率的な参照信号配置およびシグナリングを行うことができる。
【００７８】
なお、送信装置である基地局１０１のリソースエレメントマッピング部７０７−１は、第１のマッピング部７０７−１−１や、第２のマッピング部７０７−１−２として機能する。なお、リソースエレメントマッピング部７０７−２も、リソースエレメントマッピング部７０７−１と同様の機能を有する。
また、基地局１０１の送信アンテナ７０９−１は、参照信号送信部７０９−１−１や、通知部７０９−１−２として機能する。なお、送信アンテナ７０９−２も、送信アンテナ７０９−１と同様の機能を有する。
【００７９】
基地局１０１において、参照信号送信部７０９−１−１は、第１の参照信号と、第１の参照信号とは異なる第２の参照信号の双方を、非協調通信を行う第１の受信装置（例えば、端末装置１０４）と、協調通信を行う第２の受信装置（例えば、端末装置１０３）の各々に送信する。
また、基地局１０１において、通知部７０９−１−２は、第１の受信装置に対して第１の参照信号の測定を指示し、第２の受信装置に対して第２の参照信号の測定を指示する。
【００８０】
なお、基地局１０１において、第１のマッピング部７０７−１−１は、第１の参照信号と第２の参照信号とを、異なるリソースにマッピングしても良い。
【００８１】
また、基地局１０１において、第１のマッピング部７０７−１−１は、第１の参照信号および第２の参照信号として、同じ系列を用いても良い。
【００８２】
また、基地局１０１において、第２のマッピング部７０７−１−２は、第１の参照信号と前記第２の参照信号とを、異なるサブフレームに配置しても良い。
【００８３】
なお、基地局１０１において、参照信号送信部７０９−１−１は、第１の参照信号と、第１の参照信号とは異なる第２の参照信号の双方を、非協調通信を行う第１の受信装置（例えば、端末装置１０４）と、協調通信を行う第２の受信装置（例えば、端末装置１０３）の各々に送信しても良い。
そして、通知部７０９−１−２は、第１の受信装置に対して第１の参照信号の位置を特定する情報を通知し、第２の受信装置に対して第２の参照信号の位置を特定する情報を通知しても良い。
【００８４】
受信装置である端末装置１０４の参照信号測定部８１１は、第１の参照信号測定部８１１−１や、第２の参照信号測定部８１１−２として機能する。
また、端末装置１０４のフィードバック情報生成部８１２は、第１のフィードバック情報生成部８１２−１や、第２のフィードバック情報生成部８１２−２として機能する。
【００８５】
なお、端末装置１０４において、第１の参照信号測定部８１１−１は、非協調通信と協調通信とを切り替えて通信を行う送信装置からの第１の参照信号の測定の指示に基づいて、第１の参照信号を測定する。
また、端末装置１０４において、第２の参照信号測定部８１１−２は、送信装置からの第２の参照信号の測定の指示に基づいて、第１の参照信号とは異なる第２の参照信号を測定する。
【００８６】
なお、端末装置１０４において、第１のフィードバック情報生成部８１２−１は、第１の参照信号を測定した結果を用いて、第１のフィードバック情報を作成し、第２のフィードバック情報生成部８１２−２は、第２の参照信号を測定した結果を用いて、第１のフィードバック情報とは異なる第２のフィードバック情報を作成しても良い。
【００８７】
（第２の実施形態）
第１の実施形態では、ＣｏＭＰが可能なセル間で、ＣｏＭＰ用参照信号を配置するサブフレームを同期させる（同じ時刻に配置する）場合について説明した。本発明の第２の実施形態では、ＣｏＭＰ用参照信号を、ＣｏＭＰが可能なセル間で異なるサブフレームに配置する場合について説明する。
なお、第２の実施形態における基地局および端末装置の構成は、第１の実施形態における基地局（図７）および端末装置（図８）の構成と同様であるため、それらの詳細な説明を省略する。
【００８８】
以下、図面を参照して、本実施形態について説明する。
【００８９】
図９Ａ〜図９Ｃは、ＣｏＭＰを行う端末装置が参照する参照信号の構成例を示す図である。図９Ａ〜図９Ｃにおいて、横軸は時間を示しており、縦軸は周波数を示している。なお、本実施形態では、セル構成は図１および図２と同様である場合について説明する。
図９Ａに示すリソースブロック９０１は、セル＃１をカバーする基地局１０１から送信され、セル＃１においてＣｏＭＰ用の参照信号を含むリソースブロックと同時刻に各セルから送信される。図９Ｂに示すリソースブロック９０２は、セル＃２をカバーする基地局１０２から送信され、セル＃１においてＣｏＭＰ用の参照信号を含むリソースブロックと同時刻に各セルから送信されるリソースブロックである。図９Ｃに示すリソースブロック９０３は、セル＃３をカバーする基地局２０１から送信され、セル＃１においてＣｏＭＰ用の参照信号を含むリソースブロックと同時刻に各セルから送信されるリソースブロックである。
【００９０】
リソースブロック９０１内のリソースエレメント９０１−１〜９０１−４は、ＬＴＥ−Ａの参照信号がマッピングされたリソースエレメントを示している。また、それ以外のリソースエレメント９０１−５は、ＬＴＥ−Ａの参照信号以外の信号（データ信号、制御信号、ＬＴＥの参照信号、復調用参照信号など）がマッピングされたリソースエレメントを示す。リソースエレメント９０２−２は、セル＃１からＣｏＭＰ用の参照信号が送信されるリソースエレメントと同じ周波数および同じ時刻のセル＃２におけるリソースエレメントであり、変調シンボルがパンクチャリングされている。なお、ここではリソースブロック９０２と同じ周波数および同じ時刻に送信され、かつＣｏＭＰ用の参照信号が配置されているのはセル＃１だけである場合について示している。しかし、この他のセルにおいてＣｏＭＰ用の参照信号が配置されているならば、そのセルの参照信号がマッピングされるリソースエレメントと同じ周波数および同じ時刻のセル＃２におけるリソースエレメントにおいても、パンクチャリングを行う。セル＃３におけるリソースブロック９０３内のリソースエレメント９０３−１および９０３−２についても、セル＃２と同様である。
【００９１】
図１における端末装置１０４が行う受信品質の測定方法の一例について説明する。セル＃１をカバーする基地局１０１およびセル＃２をカバーする基地局１０２とＣｏＭＰを行っている端末装置１０４は、基地局１０１から送信された参照信号がマッピングされたリソースエレメント９０１−１〜９０１−４における受信信号をポート毎に合成する。これにより、端末装置１０４は、基地局１０１からの受信信号のレプリカを生成する。ここで、セル＃２やセル＃３は、リソースエレメント９０１−１〜９０１−４と同じ時間および同じ周波数リソース（例えば、リソースエレメント９０２−２および９０３−２）で信号をパンクチャリングしている。
【００９２】
そのため、基地局１０１からの受信信号のレプリカは、セル＃２における信号やセル＃３における信号が干渉とならないため、精度よく測定することができる。得られた基地局１０１からの受信信号のレプリカから、端末装置１０４は、フィードバック情報（ＣＳＩ（Channel State Information））、チャネル行列を示す情報あるいはチャネル行列を加工した情報を生成する。このように、端末装置１０４は、端末装置１０４とＣｏＭＰを行うセルであるセル＃１におけるリソースエレメント９０１−１〜９０１−４を測定して、精度の良い（干渉の影響が小さい）フィードバック情報を生成することができる。
【００９３】
図１０は、基地局１０１、基地局１０２および基地局２０１から送信される無線フレーム構成の一例を示した図である。図１０において、横軸は時間を示している。図１０の信号１として示される無線フレーム１００１は、セル＃１をカバーする基地局１０１から送信される。図１０の信号２として示される無線フレーム１００２は、セル＃２をカバーする基地局１０２から送信される。図１０の信号３として示される無線フレーム１００３は、セル＃３をカバーする基地局２０１から送信される。それぞれの無線フレーム１００１、１００２、１００３は、１０個のサブフレームＳＦ＃０〜ＳＦ＃９を含む。なお、ここではセル間で無線フレームが同期している場合について示している。
【００９４】
サブフレーム１００１−２、１００２−２および１００３−２は、それぞれセル＃１、セル＃２およびセル＃３におけるＭＩＭＯ通信用参照信号を配置するサブフレームである。サブフレーム１００１−２、１００２−２および１００３−２としては、図３Ａ〜図３Ｃと同様にＭＩＭＯ用の参照信号を配置したサブフレームを用いることができる。また、サブフレーム１００１−３、１００２−３および１００３−３は、それぞれセル＃１、セル＃２およびセル＃３におけるＣｏＭＰ用参照信号を配置するサブフレームである。
【００９５】
サブフレーム１００１−４、１００２−４および１００３−４は、それぞれセル＃１、セル＃２およびセル＃３のいずれかにおけるＣｏＭＰ用の参照信号がマッピングされたリソースエレメントにおいてパンクチャリングを行ったサブフレームである。例えば、サブフレームＳＦ＃６では、図９Ａ〜図９Ｃに示した参照信号配置を用いることができる。また、それ以外のサブフレーム１００１−１、１００２−１および１００３−１は、通常のサブフレーム（参照信号を配置しないサブフレーム、あるいはパンクチャリングを行わないサブフレーム）である。
【００９６】
前述したように、図１における端末装置１０４は、サブフレームＳＦ＃６におけるセル＃１のＣｏＭＰ用参照信号を高い精度で測定することができる。同様にして、端末装置１０４は、サブフレームＳＦ＃７においては、セル＃２のＣｏＭＰ用参照信号を高い精度で測定することができる。このようにして、端末装置１０４は、それぞれの精度の良い（干渉の影響が小さい）フィードバック情報を生成して、個別に基地局に報告することができる。これにより、フィードバック情報が時間的に分散されるため、フィードバックの効率を向上することができる。
【００９７】
あるいは、端末装置１０４は、それぞれの精度の良い（干渉の影響が小さい）測定結果を記憶しておき、複数セル（例えばセル＃１とセル＃２）における測定結果からフィードバック情報を生成して、基地局に報告することもできる。この場合、端末装置１０４は、フィードバック情報としてＣＳＩ（チャネル行列を示す情報あるいはチャネル行列を加工した情報）だけでなく、ＣＱＩ／ＰＭＩ／ＲＩを生成することが可能となり、端末装置の性能を考慮した高精度のフィードバック情報を作成することができる。
【００９８】
このように、基地局は、ＣｏＭＰを行わない端末装置が参照する第１の参照信号ではパンクチャリングを行わない。一方、基地局は、ＣｏＭＰを行う端末装置が参照する第２の参照信号ではパンクチャリングを行い、第１の参照信号と第２の参照信号を異なるサブフレームに配置する。これにより、端末装置は、高精度のフィードバック情報を生成することができる。
【００９９】
（第３の実施形態）
第１の実施形態では、ＭＩＭＯモードへの移行時に第１の参照信号の位置を通知し、ＣｏＭＰモードへの移行時に第２の参照信号の位置を通知する場合について説明した。本発明の第３の実施形態では、第１の参照信号の位置を基地局から端末装置に報知し、ＣｏＭＰモードへの移行時に第２の参照信号の位置を基地局から端末装置に通知する場合について説明する。
なお、第３の実施形態における基地局および端末装置の構成は、第１の実施形態における基地局（図７）および端末装置（図８）の構成と同様であるため、それらの詳細な説明を省略する。
【０１００】
以下、図１１を用いて、本実施形態について説明する。図１１は、本実施形態に係る基地局１０１（送信装置、収容基地局、Serving Cell）と端末装置との間の処理の一例を示すシーケンス図である。
【０１０１】
まず、基地局は、ＭＩＭＯ用の参照信号の位置を示す情報を端末装置に対して報知している。端末装置はこの情報を受信する（ステップＳ１１０１）。基地局と端末装置は、初期モード（ＴｘＤモードなど）、あるいはＭＩＭＯモードではない送信モードで通信している（ステップＳ１１０２）。ここで、ＭＩＭＯ用の参照信号の位置として、ＭＩＭＯ用の参照信号を配置したサブフレームの番号を基地局から端末装置に通知してもよいし、所定のインデクスを通知し、端末装置側でインデクスとその他のパラメータ（例えばセルＩＤなど）から配置したサブフレームの番号を得られるようにしてもよい。さらに、サブフレーム番号だけではなく、リソースエレメントの位置に関する情報（ＯＦＤＭシンボル番号、リソースブロック番号、サブキャリア番号、周波数オフセット値、あるいはこれらの組み合わせをルックアップテーブルを用いて指定するインデクス）を、基地局から端末装置に報知することもできる。
【０１０２】
ＭＩＭＯモードへ移行する場合、基地局は端末装置に、ＭＩＭＯ用のフィードバックを指示する（ステップＳ１１０３）。ここで、ＭＩＭＯ用のフィードバックの指示では、インプリシット／エクスプリシットにかかわらず、フィードバック方法を指定してもよいし、ＭＩＭＯモード自体を指定してもよい。
【０１０３】
基地局からＭＩＭＯ用のフィードバックの指示を受けた端末装置は、報知されているＭＩＭＯ用の参照信号の位置情報を用いて、ＭＩＭＯ用の参照信号の品質を測定する（ステップＳ１１０４）。端末装置は、ステップＳ１１０４の測定結果に基づいて、ＭＩＭＯ用のフィードバック情報を生成する（ステップＳ１１０５）。端末装置は、ステップＳ１１０５で生成したＭＩＭＯ用のフィードバック情報を基地局に報告する（ステップＳ１１０６）。基地局は、フィードバック情報を参照してＭＩＭＯ送信のパラメータを決定し、端末装置に対してＭＩＭＯ送信を行う（ステップＳ１１０７）。ＭＩＭＯ通信を行う期間中は、ステップＳ１１０４からステップＳ１１０７の処理が繰返し行われる。
【０１０４】
ＭＩＭＯモードからＣｏＭＰモードへ移行する場合、基地局は端末装置に、ＣｏＭＰ用のフィードバックを指示するとともに、ＣｏＭＰ用の参照信号の位置を通知（例えば、物理制御チャネル（ＰＤＣＣＨ）を用いたシグナリングや上位層のシグナリング（ＲＲＣシグナリング））する（ステップＳ１１０８）。ここで、ＣｏＭＰ用のフィードバックの指示では、インプリシット／エクスプリシットにかかわらず、フィードバック方法を指定してもよいし、ＣｏＭＰモード自体を指定してもよい。また、ＣｏＭＰ用の参照信号の位置を通知することがＣｏＭＰ用のフィードバックのトリガーであると設定しておくことにより、ＣｏＭＰ用の参照信号の位置の通知自体がＣｏＭＰ用のフィードバックの指示となり得る。
【０１０５】
また、ＣｏＭＰ用の参照信号の位置として、自セルおよびＣｏＭＰを行う可能性のある他セルにおいてＣｏＭＰ用の参照信号を配置したサブフレームの番号を通知してもよいし、所定のインデクスを通知し、端末装置側でインデクスとその他のパラメータ（例えばセルＩＤなど）から配置したサブフレームの番号を得られるようにしてもよい。さらに、サブフレーム番号だけではなく、リソースエレメントの位置に関する情報（ＯＦＤＭシンボル番号、リソースブロック番号、サブキャリア番号、周波数オフセット値、あるいはこれらの組み合わせをルックアップテーブルを用いて指定するインデクス）を、基地局から端末装置に通知してもよい。
【０１０６】
なお、ＣｏＭＰ用のフィードバックの指示と、ＣｏＭＰ用の参照信号の位置を指定する他セルとは、関連するとは限らない。例えば、ＣｏＭＰ用の参照信号の位置を指定するセル（自セルおよび他セル）は、参照信号を測定するセルの集合であって、フィードバック情報を作成するセルの集合は、参照信号を測定するセルの集合の部分集合であってもよい。
【０１０７】
端末装置は、自セルおよび／または他セルのＣｏＭＰ用の参照信号の品質を測定する（ステップＳ１１０９）。端末装置は、測定結果に基づいて、ＣｏＭＰ用のフィードバック情報を生成する（ステップＳ１１１０）。端末装置は、生成したＣｏＭＰ用のフィードバック情報を、基地局に報告する（ステップＳ１１１１）。基地局は、フィードバック情報を参照してＣｏＭＰ送信のパラメータを決定し、端末装置に対して他の基地局と協調してＣｏＭＰ送信を行う（ステップＳ１１１２）。ＣｏＭＰ通信を行う期間中は、ステップＳ１１０９からステップＳ１１１０の処理が繰返し行われる。また、必要に応じて、ＣｏＭＰ用の参照信号の位置（ＣｏＭＰを行う可能性のある他セルにおけるＣｏＭＰ用の参照信号の位置）を、基地局から端末装置に通知するようにしてもよい。
【０１０８】
基本的な送信モードであるＭＩＭＯ用の参照信号の位置を、基地局から端末装置に予め報知しておき、送信モードを切り替える際に、フィードバック方法の指示を通知する。また、ＣｏＭＰモードに切り替える際にＣｏＭＰ用の参照信号の位置を、基地局から端末装置に通知する。これにより、フィードバックに関連するシグナリングを効率化することができる。また、フィードバック方法の指示を参照信号の位置の通知に関連付けることで、シグナリングにおけるオーバヘッドを低減することができる。
【０１０９】
また、ＭＩＭＯ用の参照信号の位置を、基地局から端末装置に報知することで、ＣｏＭＰモードに移行した端末装置においても、ＭＩＭＯ用の参照信号を取得することができ、これを利用することができる。例えば、ＣｏＭＰモードの端末装置もＭＩＭＯ用の参照信号を測定し、ＭＩＭＯ送信を想定した場合のＳＩＮＲを算出することができる。このＳＩＮＲに基づいたフィードバック情報を更に基地局に報告することで、ＣｏＭＰモードからＭＩＭＯモードへのスムーズな移行あるいは、ＣｏＭＰモードとＭＩＭＯモードの動的な切り替えが可能となる。または、端末装置が算出したＳＩＮＲに基づいた伝送レートと、ＣｏＭＰモード中の伝送レートを比較して、いずれの送信モードが好適かを端末装置が基地局に報告することもできる。これにより、ＣｏＭＰモードからＭＩＭＯモードへのスムーズな移行あるいは、ＣｏＭＰモードとＭＩＭＯモードの動的な切り替えが可能となるため、帯域を効率的に使用できる。
【０１１０】
（第４の実施形態）
第１の実施形態では、ＭＩＭＯモードへの移行時に第１の参照信号の位置を基地局から端末装置に通知し、ＣｏＭＰモードへの移行時に第２の参照信号の位置を基地局から端末装置に通知する場合について説明した。本発明の第４の実施形態では、第１の参照信号の位置と第２の参照信号との位置を、基地局から端末装置に通知しておき、ＭＩＭＯモードあるいはＣｏＭＰモードへの移行時にＭＩＭＯ用あるいはＣｏＭＰ用のフィードバックを指示する場合について説明する。
なお、第４の実施形態における基地局および端末装置の構成は、第１の実施形態における基地局（図７）および端末装置（図８）の構成と同様であるため、それらの詳細な説明を省略する。
【０１１１】
以下、図１２を用いて、本実施形態について説明する。図１２は、本実施形態に係る基地局１０１（送信装置、収容基地局、Serving Cell）と端末装置との間の処理の一例を示すシーケンス図である。
【０１１２】
まず、基地局と端末装置は、初期モード（ＴｘＤモードなど）、あるいはＭＩＭＯモードやＣｏＭＰモードではない送信モードで通信している（ステップＳ１２０１）。
【０１１３】
ＭＩＭＯモードへ移行する場合、基地局は端末装置に、ＭＩＭＯ用の参照信号（第１の参照信号）の位置およびＣｏＭＰ用の参照信号（第２の参照信号）の位置を端末装置に通知する。また、基地局は端末装置に、ＭＩＭＯ用のフィードバックを指示する（ステップＳ１２０２）。なお、ここでは、第１の参照信号の位置と第２の参照信号の位置の通知を、ＭＩＭＯモードへの移行時（ステップＳ１２０２）に行う場合について説明するが、これに限らず、これ以前に通知しておいてもよい。例えば、ランダムアクセス手続きや同期ハンドオーバの際にシグナリングするなどの方法を用いることができる。
【０１１４】
基地局からＭＩＭＯ用のフィードバックの指示を受けた端末装置は、通知されているＭＩＭＯ用の参照信号の位置情報を用いて、ＭＩＭＯ用の参照信号の品質を測定する（ステップＳ１２０３）。端末装置は、ステップＳ１２０３の測定結果に基づいて、ＭＩＭＯ用のフィードバック情報を生成する（ステップＳ１２０４）。端末装置は、ステップＳ１２０４で生成したＭＩＭＯ用のフィードバック情報を基地局に報告する（ステップＳ１２０５）。基地局は、フィードバック情報を参照してＭＩＭＯ送信のパラメータを決定し、端末装置に対してＭＩＭＯ送信を行う（ステップＳ１２０６）。ＭＩＭＯ通信を行う期間中は、ステップＳ１２０３からステップＳ１２０６の処理が繰返し行われる。
【０１１５】
ＭＩＭＯモードからＣｏＭＰモードへ移行する場合、基地局は端末装置に、ＣｏＭＰ用のフィードバックを指示する（ステップＳ１２０７）。
【０１１６】
端末装置は、自セルおよび／または他セルのＣｏＭＰ用の参照信号の品質を測定する（ステップＳ１２０８）。端末装置は、ステップＳ１２０８の測定結果に基づいて、ＣｏＭＰ用のフィードバック情報を生成する（ステップＳ１２０９）。端末装置は、ステップＳ１２０９で生成したＣｏＭＰ用のフィードバック情報を基地局に報告する（ステップＳ１２１０）。基地局は、フィードバック情報を参照してＣｏＭＰ送信のパラメータを決定し、端末装置に対して他の基地局と協調してＣｏＭＰ送信を行う（ステップＳ１２１１）。ＣｏＭＰ通信を行う期間中は、ステップＳ１２０８からステップＳ１２１１の処理が繰返し行われる。また、必要に応じて、ＣｏＭＰ用の参照信号の位置（ＣｏＭＰを行う可能性のある他セルにおけるＣｏＭＰ用の参照信号の位置）を、基地局から端末装置に通知するようにしてもよい。
【０１１７】
ＭＩＭＯ用の参照信号の位置とＣｏＭＰ用の参照信号の位置とを、基地局から端末装置に予め通知しておき、送信モードを切り替える際に、フィードバック方法の指示を通知する。これにより、フィードバックに関連するシグナリングを効率化することができる。
【０１１８】
また、ＭＩＭＯ用の参照信号の位置とＣｏＭＰ用の参照信号の位置を、基地局から端末装置に予め通知することで、ＣｏＭＰモードに移行した端末装置においても、ＭＩＭＯ用の参照信号を取得することができ、これを利用することができる。例えば、ＣｏＭＰモードの端末装置もＭＩＭＯ用の参照信号を測定し、ＭＩＭＯ送信を想定した場合のＳＩＮＲを算出することができる。このＳＩＮＲに基づいたフィードバック情報を、端末装置から基地局に更に報告することで、ＣｏＭＰモードからＭＩＭＯモードへのスムーズな移行あるいは、ＣｏＭＰモードとＭＩＭＯモードの動的な切り替えが可能となる。
【０１１９】
または、端末装置で算出したＳＩＮＲに基づいた伝送レートと、ＣｏＭＰモード中の伝送レートとを比較して、いずれの送信モードが好適かを、端末装置から基地局に報告することもできる。これにより、ＣｏＭＰモードからＭＩＭＯモードへのスムーズな移行あるいは、ＣｏＭＰモードとＭＩＭＯモードの動的な切り替えが可能となるため、帯域を効率的に使用できる。逆に、ＭＩＭＯモードに移行した端末装置においても、ＣｏＭＰ用の参照信号を取得することができ、これを利用することができる。例えば、ＭＩＭＯモードの端末装置もＣｏＭＰ用の参照信号を測定し、精度の高いＳＩＮＲを算出することができる。あるいは、自セルにおいてパンクチャリングされている変調シンボルの位置を、端末装置が把握することができるため、これを考慮したデータの復調および復号を行うことができる。
【０１２０】
なお、本実施形態においても、参照信号の位置情報は第１〜第３の実施形態と同様の情報を用いることができる。また、参照信号の位置の通知に関しても、第１〜第３の実施形態と同様のシグナリングを用いることができる。また、本実施形態においても、ＣｏＭＰ用のフィードバックの指示と、ＣｏＭＰ用の参照信号の位置を指定する他セルとは、関連するとは限らない。
【０１２１】
（第５の実施形態）
第１の実施形態では、ＭＩＭＯモードへの移行時に第１の参照信号の位置を通知し、ＣｏＭＰモードへの移行時に第２の参照信号の位置を通知する場合について説明した。本発明の第５の実施形態では、第１の参照信号の位置と第２の参照信号の位置を報知しておき、ＭＩＭＯモードあるいはＣｏＭＰモードへの移行時にＭＩＭＯ用あるいはＣｏＭＰ用のフィードバックを指示する場合について説明する。
なお、第５の実施形態における基地局および端末装置の構成は、第１の実施形態における基地局（図７）および端末装置（図８）の構成と同様であるため、それらの詳細な説明を省略する。
【０１２２】
以下、図１３を用いて、本実施形態について説明する。図１３は、本実施形態に係る基地局１０１（送信装置、収容基地局、Serving Cell）と端末装置との間の処理の一例を示すシーケンス図である。
【０１２３】
基地局は端末装置に、ＭＩＭＯ用の参照信号（第１の参照信号）の位置およびＣｏＭＰ用の参照信号（第２の参照信号）の位置を端末装置に報知する（ステップＳ１３０１）。
【０１２４】
基地局と端末装置は、初期モード（ＴｘＤモードなど）、あるいはＭＩＭＯモードやＣｏＭＰモードではない送信モードで通信している（ステップＳ１３０２）。
【０１２５】
ＭＩＭＯモードへ移行する場合、基地局は端末装置に、ＭＩＭＯ用のフィードバックを指示する（ステップＳ１３０３）。
【０１２６】
基地局からＭＩＭＯ用のフィードバックの指示を受けた端末装置は、報知されているＭＩＭＯ用の参照信号の位置情報を用いて、ＭＩＭＯ用の参照信号の品質を測定する（ステップＳ１３０４）。端末装置は、ステップＳ１３０４の測定結果に基づいて、ＭＩＭＯ用のフィードバック情報を生成する（ステップＳ１３０４）。端末装置は、ステップＳ１３０４で生成したＭＩＭＯ用のフィードバック情報を基地局に報告する（ステップＳ１３０６）。基地局は、フィードバック情報を参照してＭＩＭＯ送信のパラメータを決定し、端末装置に対してＭＩＭＯ送信を行う（ステップＳ１３０７）。ＭＩＭＯ通信を行う期間中は、ステップＳ１３０４からステップＳ１３０７の処理が繰返し行われる。
【０１２７】
ＭＩＭＯモードからＣｏＭＰモードへ移行する場合、基地局は端末装置に、ＣｏＭＰ用のフィードバックを指示する（ステップＳ１３０８）。
【０１２８】
端末装置は、自セルおよび／または他セルのＣｏＭＰ用の参照信号の品質を測定する（ステップＳ１３０９）。端末装置は、ステップＳ１３０９の測定結果に基づいて、ＣｏＭＰ用のフィードバック情報を生成する（ステップＳ１３１０）。端末装置は、ステップＳ１３１０で生成したＣｏＭＰ用のフィードバック情報を基地局に報告する（ステップＳ１３１１）。基地局は、フィードバック情報を参照してＣｏＭＰ送信のパラメータを決定し、端末装置に対して他の基地局と協調してＣｏＭＰ送信を行う（ステップＳ１３１２）。ＣｏＭＰ通信を行う期間中は、ステップＳ１３０９からステップＳ１３１２の処理が繰返し行われる。
【０１２９】
ＭＩＭＯ用の参照信号の位置とＣｏＭＰ用の参照信号の位置とを、基地局から端末装置に予め報知しておき、送信モードを切り替える際に、フィードバック方法の指示を通知する。これにより、フィードバックに関連するシグナリングを効率化することができる。
【０１３０】
また、ＭＩＭＯ用の参照信号の位置とＣｏＭＰ用の参照信号の位置とを、基地局から端末装置に予め報知することで、ＣｏＭＰモードに移行した端末装置においても、ＭＩＭＯ用の参照信号を取得することができ、これを利用することができる。例えば、ＣｏＭＰモードの端末装置もＭＩＭＯ用の参照信号を測定し、ＭＩＭＯ送信を想定した場合のＳＩＮＲを算出することができる。このＳＩＮＲに基づいたフィードバック情報を更に報告することで、ＣｏＭＰモードからＭＩＭＯモードへのスムーズな移行あるいは、ＣｏＭＰモードとＭＩＭＯモードの動的な切り替えが可能となる。
【０１３１】
または、端末装置が算出したＳＩＮＲに基づいた伝送レートと、ＣｏＭＰモード中の伝送レートとを比較して、いずれの送信モードが好適かを基地局に報告することもできる。これにより、ＣｏＭＰモードからＭＩＭＯモードへのスムーズな移行あるいは、ＣｏＭＰモードとＭＩＭＯモードの動的な切り替えが可能となるため、帯域を効率的に使用できる。逆に、ＭＩＭＯモードに移行した端末装置においても、ＣｏＭＰ用の参照信号を取得することができ、これを利用することができる。例えば、ＭＩＭＯモードの端末装置もＣｏＭＰ用の参照信号を測定し、精度の高いＳＩＮＲを算出することができる。あるいは、自セルにおいてパンクチャリングされている変調シンボルの位置を把握することができるため、これを考慮したデータの復調および復号を行うことができる。
【０１３２】
なお、本実施形態においても、参照信号の位置情報は、第１〜第３の実施形態と同様の情報を用いることができる。また、本実施形態においても、ＣｏＭＰ用のフィードバックの指示と、ＣｏＭＰ用の参照信号の位置を指定する他セルとは、関連するとは限らない。
【０１３３】
（第６の実施形態）
第３の実施形態では、ＣｏＭＰモードの端末装置がＣｏＭＰ用フィードバックを基地局に報告する場合について説明した。本発明の第６の実施形態では、ＣｏＭＰモードの端末装置がＣｏＭＰ用フィードバックに加えて、ＭＩＭＯ用フィードバックを基地局に報告する場合について説明する。
なお、第６の実施形態における基地局および端末装置の構成は、第１の実施形態における基地局（図７）および端末装置（図８）の構成と同様であるため、それらの詳細な説明を省略する。
【０１３４】
以下、図１４を用いて、本実施形態について説明する。図１４は、本実施形態に係る基地局１０１（送信装置、収容基地局、Serving Cell）と端末装置との間の処理の一例を示すシーケンス図である。
【０１３５】
まず、基地局は、ＭＩＭＯ用の参照信号の位置を示す情報を端末装置に報知している。端末装置は、基地局からこの情報を取得する（ステップＳ１４０１）。基地局と端末装置は、初期モード（ＴｘＤモードなど）、あるいはＭＩＭＯモードではない送信モードで通信している（ステップＳ１４０２）。
【０１３６】
ＭＩＭＯモードへ移行する場合、基地局は端末装置に、ＭＩＭＯ用のフィードバックを指示する（ステップＳ１４０３）。
【０１３７】
基地局からＭＩＭＯ用のフィードバックの指示を受けた端末装置は、報知されているＭＩＭＯ用の参照信号の位置情報を用いて、ＭＩＭＯ用の参照信号の品質を測定する（ステップＳ１４０４）。端末装置は、ステップＳ１４０４の測定結果に基づいて、ＭＩＭＯ用のフィードバック情報を生成する（ステップＳ１４０５）。端末装置は、ステップＳ１４０５で生成したＭＩＭＯ用のフィードバック情報を基地局に報告する（ステップＳ１４０６）。基地局は、フィードバック情報を参照してＭＩＭＯ送信のパラメータを決定し、端末装置に対してＭＩＭＯ送信を行う（ステップＳ１４０７）。ＭＩＭＯ通信を行う期間中は、ステップＳ１４０４からステップＳ１４０７の処理が繰返し行われる。
【０１３８】
ＭＩＭＯモードからＣｏＭＰモードへ移行する場合、基地局は端末装置に、ＣｏＭＰ用のフィードバックを指示するとともに、ＣｏＭＰ用の参照信号の位置を通知する（ステップＳ１４０８）。
【０１３９】
端末装置は、自セルのＭＩＭＯ用の参照信号の品質を測定する（ステップＳ１４０９）。端末装置は、ステップＳ１４０９の測定結果に基づいて、ＭＩＭＯ用のフィードバック情報を生成する（ステップＳ１４１０）。また、端末装置は、自セルおよび／または他セルのＣｏＭＰ用の参照信号の品質を測定する（ステップＳ１４１１）。端末装置は、ステップＳ１４１１の測定結果に基づいて、ＣｏＭＰ用のフィードバック情報を生成する（ステップＳ１４１２）。端末装置は、ステップＳ１４１２で生成したＭＩＭＯ用のフィードバック情報とＣｏＭＰ用のフィードバック情報とを基地局に報告する（ステップＳ１４１３）。基地局は、フィードバック情報を参照してＣｏＭＰ送信のパラメータを決定し、端末装置に対して他の基地局と協調してＣｏＭＰ送信を行うか、あるいはＭＩＭＯ用のフィードバック情報を参照してＭＩＭＯ送信のパラメータを決定し、ＭＩＭＯ送信を行う（ステップＳ１４１４）。
【０１４０】
基本的な送信モードであるＭＩＭＯ用の参照信号の位置は、基地局から端末装置に予め報知しておき、送信モードを切り替える際に、フィードバック方法の指示を通知する、またＣｏＭＰモードに切り替える際にＣｏＭＰ用の参照信号の位置を通知する。これにより、フィードバックに関連するシグナリングを効率化することができる。また、フィードバック方法の指示を参照信号の位置の通知に関連付けることで、シグナリングにおけるオーバヘッドを低減することができる。
【０１４１】
また、ＭＩＭＯ用のフィードバック情報とＣｏＭＰ用のフィードバック情報とを端末装置から基地局に報告することで、基地局はＣｏＭＰ送信とＭＩＭＯ送信の動的な切り替えが可能となるため、帯域を効率的に使用できる。さらに、ＣｏＭＰ送信時のパラメータの決定時に、ＭＩＭＯ用のフィードバック情報を考慮することができるため、より好適な送信パラメータを設定することができる。例えば、ＣｏＭＰ送信時の変調方式や符号化率を決定する際に、ＭＩＭＯ用のＣＱＩを参照することで、より好適な変調方式や符号化率を用いることができる。
【０１４２】
なお、ステップＳ１４１３では、ＭＩＭＯ用のフィードバック情報とＣｏＭＰ用のフィードバック情報とを同じタイミングで、端末装置から基地局に送信するとは限らない。例えば、ＣｏＭＰ用のフィードバック情報をＭＩＭＯ用のフィードバック情報と異なるサブフレームを用いて報告する場合であっても、上記の効果を得ることができる。また、ステップＳ１４１３におけるＭＩＭＯ用のフィードバック情報は、ステップ１４０３におけるＭＩＭＯ用のフィードバック情報と同じであるとは限らない。例えば、ステップＳ１４１３におけるＭＩＭＯ用のフィードバック情報は、ステップ１４０３におけるＭＩＭＯ用のフィードバック情報の一部であってもよい。より具体的には、ステップＳ１４１３におけるＭＩＭＯ用のフィードバック情報は広帯域の品質を示す情報であり、ステップ１４０３におけるＭＩＭＯ用のフィードバック情報は広帯域の品質（状態）と狭帯域の品質（状態）とを示す情報であってもよい。この場合にも上記の効果を得ることができる。
【０１４３】
なお、本実施形態では、第２の実施形態に基づいて、ＣｏＭＰモードの端末装置が、ＣｏＭＰ用フィードバックに加えて、ＭＩＭＯ用フィードバックを基地局に報告する場合について説明した。なお、上記の他の実施形態において、ＣｏＭＰモードの端末装置が、ＣｏＭＰ用フィードバックに加えて、ＭＩＭＯ用フィードバックを基地局に報告する場合についても、上記の効果を得ることができる。
【０１４４】
（第７の実施形態）
第１の実施形態あるいは第２の実施形態では、ＣｏＭＰが可能なセル間で、無線フレームを同期させる（同じサブフレーム番号のサブフレームは、同じ時刻に配置する）場合について説明した。本発明の第７の実施形態では、無線フレームを同期させない場合について説明する。
なお、第７の実施形態における基地局および端末装置の構成は、第１の実施形態における基地局（図７）および端末装置（図８）の構成と同様であるため、それらの詳細な説明を省略する。
【０１４５】
以下、図面を参照して、本実施形態について説明する。
【０１４６】
図１５Ａ及び図１５Ｂは、ＣｏＭＰを行う端末装置が参照する参照信号の構成例を示す図である。なお、本実施形態では、セル構成は図１および図２と同様である場合について説明する。
図１５Ａに示すリソースブロック１５０１は、セル＃１をカバーする基地局１０１から送信され、セル＃１においてＭＩＭＯ用の参照信号を含むリソースブロックである。
図１５Ｂに示すリソースブロック１５０２は、セル＃２をカバーする基地局１０２から送信され、セル＃１においてＭＩＭＯ用の参照信号を含むリソースブロックと、同時刻にセル＃２から送信される、ＣｏＭＰ用の参照信号を含むリソースブロックである。
【０１４７】
リソースブロック１５０１内のリソースエレメント１５０１−１〜１５０１−４は、ＬＴＥ−Ａの参照信号がマッピングされたリソースエレメントを示している。リソースエレメント１５０１−６は、パンクチャリングするリソースエレメントを示している。なお、リソースエレメント１５０１−６は、セル＃２からＣｏＭＰ用の参照信号が送信されるリソースエレメントと同じ周波数および同じ時刻のセル＃１におけるリソースエレメントである。また、それ以外のリソースエレメント９０１−５は、ＬＴＥ−Ａの参照信号以外の信号（データ信号、制御信号、ＬＴＥの参照信号、復調用参照信号など）がマッピングされたリソースエレメントを示す。一方、リソースブロック１５０１内のリソースエレメント１５０２−１〜１５０２−４は、ＬＴＥ−ＡのＣｏＭＰ用参照信号がマッピングされたリソースエレメントを示している。それ以外のリソースエレメント１５０２−５は、ＬＴＥ−Ａの参照信号以外の信号（データ信号、制御信号、ＬＴＥの参照信号、復調用参照信号など）がマッピングされたリソースエレメントを示す。
【０１４８】
また、図１５Ａ及び図１５Ｂに示すように、ＭＩＭＯ用の参照信号とマッピングするリソースエレメントと、ＣｏＭＰ用の参照信号をマッピングするリソースエレメントを異なるリソースエレメントとなるように規定しておく。これにより、自セルのＭＩＭＯ用の参照信号と、自セルあるいは他セルのＣｏＭＰ用の参照信号を同じサブフレームに配置することができるため、自由度の高い参照信号配置を実現することができる。
【０１４９】
図１６は、基地局１０１、基地局１０２から送信される無線フレーム構成の一例を示した図である。図１６において、横軸は時間を示している。図１６の信号１として示される無線フレーム１６０１は、セル＃１をカバーする基地局１０１から送信される無線フレームである。図１６の信号２として示される無線フレーム１６０２は、セル＃２をカバーする基地局１０２から送信される無線フレームである。それぞれの無線フレームは、１０個のサブフレームＳＦ＃０〜ＳＦ＃９を含む。なお、ここではセル間で無線フレームが５サブフレーム分ずれている場合について示している。
【０１５０】
サブフレーム１６０１−２および１６０２−２は、それぞれセル＃１およびセル＃２におけるＭＩＭＯ通信用参照信号を配置するサブフレームである。また、サブフレーム１６０１−３および１６０２−３は、それぞれセル＃１およびセル＃２におけるＣｏＭＰ用参照信号を配置するサブフレームである。サブフレーム１６０１−２と１６０２−４は、それぞれサブフレーム１６０２−３と１６０１−３と同じ時刻に送信されるサブフレームである。そのため、ＣｏＭＰ用参照信号がマッピングされたリソースエレメントにおいてパンクチャリングが行われる。例えば、サブフレーム１６０１−２においては、図１５Ａにおけるリソースブロック１５０１を配置したサブフレームを用いることができる。また、それ以外のサブフレーム１６０１−１および１６０２−１は通常のサブフレームである。
【０１５１】
前述したように、図１における端末装置１０４は、サブフレームＳＦ＃６におけるセル＃１のＣｏＭＰ用参照信号を高い精度で測定することができる。同様にして、サブフレームＳＦ＃２においては、セル＃２のＣｏＭＰ用参照信号を高い精度で測定することができる。
【０１５２】
このように、基地局は、ＣｏＭＰを行わない端末装置が参照する第１の参照信号ではパンクチャリングを行わない。一方、基地局は、ＣｏＭＰを行う端末装置が参照する第２の参照信号ではパンクチャリングを行い、第１の参照信号と第２の参照信号を異なるサブフレームに配置する。これにより、端末装置は、高精度のフィードバック情報を生成することができる。
【０１５３】
なお、上記各実施形態では、参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。
【０１５４】
また、上記各実施形態では、基地局からＭＩＭＯ用フィードバックの指示あるいはＣｏＭＰ用フィードバックの指示を、端末装置に対して通知する場合について説明した。これらの指示は、ＭＩＭＯ用あるいはＣｏＭＰ用の測定、ＭＩＭＯ用あるいはＣｏＭＰ用のフィードバック情報の生成、ＭＩＭＯ用あるいはＣｏＭＰ用のフィードバック情報の報告の３つの過程を指示するものである。これらの３つの過程を、１つのシグナリングで行う（あるいは同じタイミングでパラメータを更新する）ことで、効率的なシグナリングが可能となる。
【０１５５】
一方、３つの過程を異なるタイミングあるいはシグナリングで指示するようにしてもよい。これにより、柔軟な指示を行うことができ、シグナリング処理に対する通信のパフォーマンスが向上する。例えば、ＣｏＭＰ用の測定と、ＣｏＭＰ用のフィードバック情報の生成とを異なるタイミングあるいはシグナリングで基地局から端末装置に通知することで、測定するセルの組とフィードバック情報を作成するセルの組とを柔軟に設定することが可能となる。
【０１５６】
また、上記各実施形態では、初期モードからＭＩＭＯモードへ、ＭＩＭＯモードからＣｏＭＰモードへ切り替わる場合について説明したが、これに限るものではない。例えば、初期モードからＣｏＭＰモードへ切り替わり、ＣｏＭＰモードからＭＩＭＯモードへ移行する場合についても、同様の方法を用いることができ、同様の効果を得ることができる。
【０１５７】
また、図７における基地局の全部または一部と、図８における端末装置の全部または一部との機能を実現するためのプログラムをコンピュータ読み取り可能な記録媒体に記録してもよい。そして、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含む。
【０１５８】
また、「コンピュータシステム」は、ＷＷＷシステムを利用している場合であれば、ホームページ提供環境（あるいは表示環境）も含む。
【０１５９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良く、さらに前述した機能をコンピュータシステムにすでに記録されているプログラムとの組み合わせで実現できるものであっても良い。
【０１６０】
また、図７における基地局装置の全部または一部と、図８における端末装置の全部または一部との機能を集積回路に集約して実現してもよい。
【０１６１】
以上、この発明の各実施形態を図面を参照して詳述してきたが、具体的な構成はこの実施形態に限られるものではなく、この発明の要旨を逸脱しない範囲の設計変更等も含まれる。
【産業上の利用可能性】
【０１６２】
本発明は、無線送信装置や無線受信装置や無線通信システムや無線通信方法に用いて好適である。
【符号の説明】
【０１６３】
１０１、１０２、２０１・・・送信装置、
１０３、１０４・・・受信装置、
３０１、３０２、３０３、４０１、４０２、４０３、９０１、９０２、９０３、１５０１、１５０２・・・リソースブロック、
３０１−１〜３０１−５、３０２−１〜３０２−５、３０３−１〜３０３−５、４０１−１〜４０１−６、４０２−１〜４０２−６、４０３−１〜４０３−６、９０１−１〜３０１−５、９０２−１、９０２−２、９０３−１、９０３−２、１５０１−１〜１５０１−６、１５０２−１〜１５０２−５・・・リソースエレメント、
５０１、５０２、５０３、１００１、１００２、１００３、１６０１、１６０２・・・無線フレーム、
５０１−１〜５０１−３、５０２−１〜５０２−３、５０３−１〜５０３−３、１００１−１〜１００１−４、１００２−１〜１００２−４、１００３−１〜１００３−４、１６０１−１〜１６０１−３、１６０２−１〜１６０２−４・・・サブフレーム、
７０１−１、７０１−２・・・符号部、
７０２−１、７０２−２・・・スクランブル部、
７０３−１、７０３−２・・・変調部、
７０４・・・レイヤーマッピング部、
７０５・・・プレコーディング部、
７０６・・・参照信号生成部、
７０７−１、７０７−２・・・リソースエレメントマッピング部、
７０８−１、７０８−２・・・ＯＦＤＭ信号生成部、
７０９−１、７０９−２・・・送信アンテナ、
７１０・・・受信アンテナ、
７１１・・・受信信号処理部、
７１２・・・フィードバック情報処理部、
７１３・・・上位層、
８０１−１、８０１−２・・・受信アンテナ、
８０２−１、８０２−２・・・ＯＦＤＭ信号復調部、
８０３−１、８０３−２・・・リソースエレメントデマッピング部、
８０４・・・フィルタ部、
８０５・・・デプリコーディング部、
８０６・・・レイヤーデマッピング部、
８０７−１、８０７−２・・・復調部、
８０８−１、８０８−２・・・デスクランブル部、
８０９−１、８０９−２・・・復号部、
８１０・・・上位層、
８１１・・・参照信号測定部、
８１２・・・フィードバック情報生成部、
８１３・・・送信信号生成部、
８１４・・・送信アンテナ、
１７０１、１９０１、１９０２・・・送信装置、
１７０２、１９０３・・・受信装置、
１８０１・・・リソースブロック、
１８０１−１〜１８０１−６・・・リソースエレメント
【図１】
2010146781.tif 000003
【図２】
2010146781.tif 000004
【図３Ａ】
2010146781.tif 000005
【図３Ｂ】
2010146781.tif 000006
【図３Ｃ】
2010146781.tif 000007
【図４Ａ】
2010146781.tif 000008
【図４Ｂ】
2010146781.tif 000009
【図４Ｃ】
2010146781.tif 000010
【図５】
2010146781.tif 000011
【図６】
2010146781.tif 000012
【図７】
2010146781.tif 000013
【図８】
2010146781.tif 000014
【図９Ａ】
2010146781.tif 000015
【図９Ｂ】
2010146781.tif 000016
【図９Ｃ】
2010146781.tif 000017
【図１０】
2010146781.tif 000018
【図１１】
2010146781.tif 000019
【図１２】
2010146781.tif 000020
【図１３】
2010146781.tif 000021
【図１４】
2010146781.tif 000022
【図１５Ａ】
2010146781.tif 000023
【図１５Ｂ】
2010146781.tif 000024
【図１６】
2010146781.tif 000025
【図１７】
2010146781.tif 000026
【図１８】
2010146781.tif 000027
【図１９】
2010146781.tif 000028
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
自セルを構成して端末装置と通信を行う基地局装置であって、
前記自セルにおける参照信号が配置されるリソースエレメントであって、前記自セル以外のセルにおける信号が送信されるリソースエレメントである第１のリソースエレメントを含む第１のサブフレームを指定する情報と、前記自セルにおける参照信号が配置されるリソースエレメントであって、前記自セル以外のセルにおいて信号が送信されないリソースエレメントである第２のリソースエレメントを含む第２のサブフレームを指定する情報とを前記端末装置に通知する通知部と、
前記第１のサブフレームおよび前記第２のサブフレームにおいて、前記参照信号を送信する送信部と、
を備える基地局装置。
【請求項２】
前記通知部が、前記第１のサブフレームを指定する情報を前記端末装置に通知した場合、前記第１のサブフレームにおける受信品質を示す受信品質情報を前記端末装置から受信する受信品質情報受信部を備える請求項１に記載の基地局装置。
【請求項３】
前記通知部が、前記第２のサブフレームを指定する情報を前記端末装置に通知した場合、前記第２のサブフレームにおける受信品質を示す受信品質情報を前記端末装置から受信する受信品質情報受信部を備える請求項１に記載の基地局装置。
【請求項４】
自セルを構成する基地局装置と通信を行う端末装置であって、
前記自セルにおける参照信号が配置されるリソースエレメントであって、前記自セル以外のセルにおける信号が送信される第１のリソースエレメントを含む第１のサブフレームを指定する情報と、前記自セルにおける参照信号が配置されるリソースエレメントであって、前記自セル以外のセルにおいて信号が送信されない第２のリソースエレメントを含む第２のサブフレームを指定する情報とを前記基地局装置から取得する取得部と、
前記第１のサブフレームおよび／または前記第２のサブフレームにおいて、前記参照信号を受信する受信部と、
を備える端末装置。
【請求項５】
前記取得部が、前記第１のサブフレームを指定する情報を前記基地局装置から取得した場合、前記第１のサブフレームにおける受信品質を示す情報を前記基地局装置へ送信する受信品質情報送信部を備える請求項４に記載の端末装置。
【請求項６】
前記取得部が、前記第２のサブフレームを指定する情報を前記基地局装置から取得した場合、前記第２のサブフレームにおける受信品質を示す情報を前記基地局装置へ送信する受信品質情報送信部を備える請求項４に記載の端末装置。
【請求項７】
自セルを構成して端末装置と通信を行う基地局装置が用いる方法であって、
前記自セルにおける参照信号が配置されるリソースエレメントであって、前記自セル以外のセルにおける信号が送信されるリソースエレメントである第１のリソースエレメントを含む第１のサブフレームを指定する情報と、前記自セルにおける参照信号が配置されるリソースエレメントであって、前記自セル以外のセルにおいて信号が送信されないリソースエレメントである第２のリソースエレメントを含む第２のサブフレームを指定する情報とを前記端末装置に通知し、
前記第１のサブフレームおよび前記第２のサブフレームにおいて、前記参照信号を送信する方法。
【請求項８】
自セルを構成する基地局装置と通信を行う端末装置が用いる方法であって、
前記自セルにおける参照信号が配置されるリソースエレメントであって、前記自セル以外のセルにおける信号が送信される第１のリソースエレメントを含む第１のサブフレームを指定する情報と、前記自セルにおける参照信号が配置されるリソースエレメントであって、前記自セル以外のセルにおいて信号が送信されない第２のリソースエレメントを含む第２のサブフレームを指定する情報とを前記基地局装置から取得し、
前記第１のサブフレームおよび／または前記第２のサブフレームにおいて、前記参照信号を受信する方法。
【請求項９】
自セルを構成して端末装置と通信を行う基地局装置と、前記端末装置とを含む通信システムであって、
前記基地局装置は、
前記自セルにおける参照信号が配置されるリソースエレメントであって、前記自セル以外のセルにおける信号が送信されるリソースエレメントである第１のリソースエレメントを含む第１のサブフレームを指定する情報と、前記自セルにおける参照信号が配置されるリソースエレメントであって、前記自セル以外のセルにおいて信号が送信されないリソースエレメントである第２のリソースエレメントを含む第２のサブフレームを指定する情報とを前記端末装置に通知する通知部と、
前記第１のサブフレームおよび前記第２のサブフレームにおいて、前記参照信号を送信する送信部と、
を備え、
前記端末装置は、
前記自セルにおける参照信号が配置されるリソースエレメントであって、前記自セル以外のセルにおける信号が送信される前記第１のリソースエレメントを含む前記第１のサブフレームを指定する情報と、前記自セルにおける参照信号が配置されるリソースエレメントであって、前記自セル以外のセルにおいて信号が送信されない前記第２のリソースエレメントを含む前記第２のサブフレームを指定する情報とを前記基地局装置から取得する取得部と、
前記第１のサブフレームおよび／または前記第２のサブフレームにおいて、前記参照信号を受信する受信部と、
を備える通信システム。
【国際調査報告】
2010146781.tif 000029
2010146781.tif 000030